(57)【要約】【課題】  コントローラ側音量値が変更された際に、コントローラ側音量値の変化量に応じて、増幅装置の音量値を適切に変更すること。【解決手段】  ＡＶアンプでは、ユーザ操作によってアンプ側音量値が入力されると、増幅装置の音量値を調整し、アンプ側音量値をコントローラ側音量値に変換し、コントローラに送信する。コントローラでは、コントローラ側音量値を受信すると、スライドバーを移動させる。一方、ユーザ操作によってコントローラ側音量値が入力されると、スライドバーを移動させ、コントローラ側音量値をＡＶアンプに送信する。ＡＶアンプでは、コントローラ側音量値を受信すると、コントローラ側音量値をアンプ側音量値に変換し、アンプ側音量値に基づいて増幅装置の音量値を調整する。【選択図】図３
2011199837.tif 000002
【特許請求の範囲】
【請求項１】
増幅装置と、前記増幅装置に接続可能なコントローラとを備え、
前記増幅装置が、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有し、
前記コントローラが、
前記アンプ側音量値、前記アンプ側最大音量値、および、前記アンプ側最小音量値を前記増幅装置から受信する第２受信部と、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システム。
【請求項２】
増幅装置と、前記増幅装置に接続可能なコントローラとを備え、前記コントローラが、前記アンプ側音量値、前記アンプ側最大音量値、および、前記アンプ側最小音量値を前記増幅装置から受信する第２受信部と、表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、前記表示部が前記表示装置に表示させる前記アンプ側音量値を、前記第２受信部によって受信された又は第２入力部に入力された前記アンプ側音量値に変更する変更部と、ユーザ操作によって、前記表示部が前記表示装置に表示させる前記アンプ側音量値を変更する指示が入力される前記第２入力部と、ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システムにおける前記増幅装置であって、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有する、増幅装置。
【請求項３】
増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有する、音量調整システムにおける前記コントローラであって、
前記アンプ側音量値、前記アンプ側最大音量値、および、前記アンプ側最小音量値を前記増幅装置から受信する第２受信部と、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、コントローラ。
【請求項４】
前記コントローラと前記増幅装置とが接続解除する際の、前記表示部が前記表示装置に表示させる前記アンプ側音量値を記憶装置に記憶させる記憶部をさらに有し、
前記コントローラと前記増幅装置とが接続された場合に、
前記変更部が、前記記憶部によって記憶されている前記アンプ側音量値に、前記表示部が前記表示装置に表示させるアンプ側音量値を変更し、
前記第２送信部が、前記記憶部によって記憶されている前記アンプ側音量値を前記増幅装置に送信する、請求項３に記載のコントローラ。
【請求項５】
増幅装置と、コントローラプログラムがインストールされ前記増幅装置に接続可能なコンピュータとを備え、前記増幅装置が、アンプ側音量値を前記コンピュータから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コンピュータに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記第１入力部によって調整可能なアンプ側音量値の最大値であるアンプ側最大音量値、および、前記第１入力部によって調整可能なアンプ側音量値の最小値であるアンプ側最小音量値を前記コンピュータに送信する第２送信部とを有する、音量調整システムにおける前記コントローラプログラムであって、
前記アンプ側音量値、前記アンプ側最大音量値、および、前記アンプ側最小音量値を前記増幅装置から受信する第２受信ステップと、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示ステップと、
前記表示ステップが前記表示装置に表示させる前記アンプ側音量値を、前記第２受信ステップによって受信された又は第２入力ステップによって入力された前記アンプ側音量値に変更する変更ステップと、
ユーザ操作によって、前記表示ステップが前記表示装置に表示させる前記アンプ側音量値を変更する指示が入力される前記第２入力ステップと、
ユーザ操作によって、前記表示ステップが前記表示装置に表示させる前記アンプ側音量値を変更する指示が入力された場合、変更後の前記アンプ側音量値を前記増幅装置に送信する第２送信ステップとを前記コンピュータに実行させる、コントローラプログラム。
【請求項６】
増幅装置と、前記増幅装置に接続可能なコントローラとを備え、
前記増幅装置が、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）を前記コントローラに送信する第２送信部とを有し、
前記コントローラが、
前記アンプ側音量値、前記アンプ側設定最大音量値、および、前記アンプ側設定最小音量値（又は、前記アンプ側最小音量値）を前記増幅装置から受信する第２受信部と、
表示装置に表示させる最大音量値を前記アンプ側設定最大音量値とし、表示装置に表示させる最小音量値を前記アンプ側設定最小音量値（又は、前記アンプ側最小音量値）とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システム。
【発明の詳細な説明】
【技術分野】
【０００１】
本発明は、増幅装置とコントローラとを備える音量調整システムに関する。
【背景技術】
【０００２】
ＡＶアンプは、ＬＡＮ等のネットワーク経由でＰＣに接続され、ＰＣにインストールされているコントローラプログラム（以下、コントローラという。）によってコンテンツ再生が制御される。ＰＣには、サーバプログラム（以下、サーバという。）もインストールされており、ＰＣのＨＤＤに複数のオーディオファイルが記録されている。コントローラは、ユーザ操作によって、ＨＤＤに記録されたオーディオファイルが選択されると、選択されたオーディオファイルの再生指示をＡＶアンプに送信する。ＡＶアンプは、選択されたオーディオファイルの送信をサーバに要求する。サーバは、選択されたオーディオファイルをＨＤＤから読み出して、ＡＶアンプに送信する。ＡＶアンプは、サーバから送信されたオーディオファイルをデコードし、増幅し、スピーカーから音声を出力する。（例えば、特許文献１）
【０００３】
コントローラは、ユーザのマウス操作等によってコントローラ側音量値の変更指示が入力されると、変更後のコントローラ側音量値をＡＶアンプに送信する。ＡＶアンプは、これに応じて、ＡＶアンプが音声信号を増幅する際の音量値を調整する。ここで、コントローラの操作画面にはコントローラ側音量値をユーザ操作によって変更するためのスライドバーが設けられており、スライドバーが移動されることによって、コントローラ側音量値が変更され、その結果、ＡＶアンプの音量値が制御される。従って、コントローラ側音量値の変更に応じて、適切に（つまり、ユーザにとって分かりやすいように）ＡＶアンプの音量が変更されることが要求されている。
【０００４】
また、ユーザが一度にコントローラ側音量値を最大値（又はその近傍）まで増加させた場合、ＡＶアンプの音量値が最大値（又はその近傍）まで一度に上昇してしまい、ＡＶアンプのアンプ回路やスピーカーが破損するという問題がある。
【０００５】
本出願人が特願２００９−２８１０６４号で提案した音量調整装置によると、上記の通り、コントローラから送信されるコントローラ側音量値に応じてＡＶアンプの音量を調整することができる。しかし、コントローラはＡＶアンプの音量値を認識することができないので、ユーザが、ＡＶアンプの音量値をＡＶアンプのボリュームツマミやリモコンを操作して調整した場合には、コントローラに設定されているコントローラ側音量値がＡＶアンプの実際の音量値と異なってしまう。その結果、コントローラ側音量値の変更に応じて、適切にＡＶアンプの音量を変更することができない。
【先行技術文献】
【特許文献】
【０００６】
【特許文献１】特開２００５−３１４９４号公報
【発明の概要】
【発明が解決しようとする課題】
【０００７】
本発明は上記従来の課題を解決するためになされたものであり、その目的は、コントローラ側音量値が変更された際に、コントローラ側音量値の変化量に応じて、増幅装置の音量値を適切に変更することができる音量調整システムを提供することである。
【課題を解決するための手段】
【０００８】
本発明の好ましい実施形態による音量調整システムは、増幅装置と、前記増幅装置に接続可能なコントローラとを備え、前記増幅装置が、コントローラ側音量値を前記コントローラから受信する第１受信部と、前記第１受信部によって受信された前記コントローラ側音量値を、アンプ側音量値に変換する第１変換部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラ側音量値に変換する第２変換部と、前記第２変換部によって変換された前記コントローラ側音量値を前記コントローラに送信する第１送信部と、前記第１受信部が前記コントローラ側音量値を受信した場合、又は、前記第１入力部に変更後の前記アンプ側音量値が入力された場合、前記アンプ側音量値に基づいて前記増幅装置の音量値を調整する音量調整部とを有し、前記コントローラが、前記コントローラ側音量値を表示装置に表示させる表示部と、前記コントローラ側音量値を前記増幅装置から受信する第２受信部と、前記表示部が前記表示装置に表示させる前記コントローラ側音量値を、前記第２受信部によって受信された前記コントローラ側音量値に変更する変更部と、ユーザ操作によって、前記表示部が前記表示装置に表示させる前記コントローラ側音量値を変更する指示が入力される第２入力部と、ユーザ操作によって、前記表示部が前記表示装置に表示させる前記コントローラ側音量値を変更する指示が入力された場合、変更後の前記コントローラ側音量値を前記増幅装置に送信する第２送信部とを有する。
【０００９】
増幅装置では、第１入力部に変更後のアンプ側音量値が入力されると、入力されたアンプ側音量値に基づいて増幅装置の音量値を調整し、第２変換部がアンプ側音量値をコントローラ側音量値に変換し、第１送信部がコントローラ側音量値をコントローラに送信する。コントローラでは、第２受信部がコントローラ側音量値を受信すると、変更部が、表示部が表示装置に表示させるコントローラ側音量値を、受信したコントローラ側音量値に変更する。一方、第２入力部にコントローラ側音量値が入力されると、変更部が、表示部が表示装置に表示させるコントローラ側音量値を第２入力部に入力されたコントローラ側音量値に変更し、第２送信部が、第２入力部に入力されたコントローラ側音量値を増幅装置に送信する。増幅装置では、第１受信部がコントローラからコントローラ側音量値を受信すると、第１変換部が、コントローラ側音量値をアンプ側音量値に変換し、アンプ側音量値に基づいて増幅装置の音量値を調整する。このように、増幅装置とコントローラとの間でコントローラ側音量値を通知しあうことにより、双方で管理しているコントローラ側音量値を常に同じにすることができる。従って、コントローラ側音量値が変更された際に、アンプ側音量値を適切な値に変更することができる。
【００１０】
好ましい実施形態においては、前記第１変換部が、コントローラ側最大音量値、コントローラ側最小音量値、前記第１入力部によって調整可能なアンプ側音量値の最大値であるアンプ側最大音量値、および、前記第１入力部によって調整可能なアンプ側音量値の最小値であるアンプ側最小音量値に基づいて、前記コントローラ側音量値をアンプ側音量値に変換し、前記第２変換部が、前記コントローラ側最大音量値、前記コントローラ側最小音量値、前記アンプ側最大音量値、および、前記アンプ側最小音量値に基づいて、前記アンプ側音量値を前記コントローラ側音量値に変換する。
【００１１】
好ましい実施形態においては、前記第１変換部が、コントローラ側最大音量値、コントローラ側最小音量値、前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）に基づいて、前記コントローラ側音量値を前記アンプ側音量値に変換し、前記第２変換部が、前記コントローラ側最大音量値、前記コントローラ側最小音量値、前記アンプ側設定最大音量値、および、前記アンプ側設定最小音量値（又は、前記アンプ側最小音量値）に基づいて、前記アンプ側音量値を前記コントローラ側音量値に変換する。
【００１２】
この場合、コントローラ側音量値がコントローラ側最大音量値に変更されても、アンプ側音量値はアンプ側設定最大音量値以上にならないので、アンプやスピーカーの破損を防止できる。
【００１３】
好ましい実施形態においては、前記コントローラと前記増幅装置とが接続解除する際の、前記表示部が前記表示装置に表示させる前記コントローラ側音量値を記憶装置に記憶させる記憶部をさらに有し、前記コントローラと前記増幅装置とが接続された場合に、前記変更部が、前記記憶部によって記憶されている前記コンローラ側音量値に、前記表示部が前記表示装置に表示させるコントローラ側音量値を変更し、前記第２送信部が、前記記憶部によって記憶されている前記コントローラ側音量値を前記増幅装置に送信する。
【００１４】
本発明のさらに別の好ましい実施形態による音量調整システムは、増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部とを有し、前記コントローラが、コントローラ側音量値を表示装置に表示させる表示部と、前記アンプ側音量値を前記増幅装置から受信する第２受信部と、前記第２受信部によって受信された前記アンプ側音量値を、前記コントローラ側音量値に変換する第１変換部と、前記表示部が前記表示装置に表示させる前記コントローラ側音量値を、前記第１変換部によって変換された前記コントローラ側音量値に変更する変更部と、ユーザ操作によって、前記表示部が前記表示装置に表示させる前記コントローラ側音量値を変更する指示が入力される第２入力部と、ユーザ操作によって、前記表示部が前記表示装置に表示させる前記コントローラ側音量値を変更する指示が入力された場合、変更後の前記コントローラ側音量値を、前記アンプ側音量値に変換する第２変換部と、前記第２変換部によって変換された前記アンプ側音量値を前記増幅装置に送信する第２送信部とを有する。
【００１５】
増幅装置側では、第１入力部にアンプ側音量値が入力されると、入力されたアンプ側音量値に基づいて増幅装置の音量値を調整し、第１送信部がアンプ側音量値をコントローラに送信する。コントローラ側では、第２受信部がアンプ側音量値を受信すると、第１変換部がアンプ側音量値をコントローラ側音量値に変換し、変更部が、表示部が表示装置に表示させるコントローラ側音量値を第１変換部によって変換されたコントローラ側音量値に変更する。一方、第２入力部にコントローラ側音量値が入力されると、変更部が、表示部が表示装置に表示させるコントローラ側音量値を第２入力部に入力されたコントローラ側音量値に変更し、第２変換部が、コントローラ側音量値をアンプ側音量値に変換し、第２送信部が、第２変換部によって変換されたアンプ側音量値を増幅装置に送信する。増幅装置側では、第１受信部がコントローラからアンプ側音量値を受信すると、受信したアンプ側音量値に基づいて増幅装置の音量値を調整する。このように、増幅装置とコントローラとの間でアンプ側音量値を通知しあうことにより、双方で管理しているアンプ側音量値を常に同じにすることができる。従って、コントローラ側音量値が変更された際に、アンプ側音量値を適切な値に変更することができる。
【００１６】
好ましい実施形態においては、前記第１変換部が、コントローラ側最大音量値、コントローラ側最小音量値、前記第１入力部によって調整可能なアンプ側音量値の最大値であるアンプ側最大音量値、および、前記第１入力部によって調整可能なアンプ側音量値の最小値であるアンプ側最小音量値に基づいて、前記アンプ側音量値を前記コントローラ側音量値に変換し、前記第２変換部が、前記コントローラ側最大音量値、前記コントローラ側最小音量値、前記アンプ側最大音量値、および、前記アンプ側最小音量値に基づいて、前記コントローラ側音量値を前記アンプ側音量値に変換する。
【００１７】
好ましい実施形態においては、前記第１変換部が、コントローラ側最大音量値、コントローラ側最小音量値、前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）に基づいて、前記アンプ側音量値を前記コントローラ側音量値に変換し、前記第２変換部が、前記コントローラ側最大音量値、前記コントローラ側最小音量値、前記アンプ側設定最大音量値、および、前記アンプ側設定最小音量値（又は、前記アンプ側最小音量値）に基づいて、前記コントローラ側音量値を前記アンプ側音量値に変換する。
【００１８】
この場合、コントローラ側音量値がコントローラ側最大音量値に変更されても、アンプ側音量値はアンプ側設定最大音量値以上にならないので、アンプやスピーカーの破損を防止できる。
【００１９】
好ましい実施形態においては、前記コントローラと前記増幅装置とが接続解除する際の、前記表示部が前記表示装置に表示させる前記コントローラ側音量値を記憶装置に記憶させる記憶部をさらに有し、前記コントローラと前記増幅装置とが接続された場合に、前記変更部が、前記記憶部によって記憶されている前記コンローラ側音量値に、前記表示部が前記表示装置に表示させるコントローラ側音量値を変更し、前記第２変換部が、前記記憶部によって記憶されている前記コントローラ側音量値を前記アンプ側音量値に変換し、前記第２送信部が、前記アンプ側音量値を前記増幅装置に送信する。
【００２０】
本発明のさらに別の好ましい実施形態による音量調整システムは、増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有し、前記コントローラが、コントローラ側音量値を記憶装置に記憶させる記憶部と、前記アンプ側音量値、前記アンプ側最大音量値、および、前記アンプ側最小音量値を前記増幅装置から受信する第２受信部と、コントローラ側最大音量値を前記アンプ側最大音量値に変更し、コントローラ側最小音量値を前記アンプ側最小音量値に変更することによって、前記コントローラ側音量値の代わりに前記アンプ側音量値を表示装置に表示させる表示部と、前記表示部が前記表示装置に表示させる前記アンプ側音量値を、前記第２受信部によって受信された前記アンプ側音量値に変更する変更部と、ユーザ操作によって、前記表示部が前記表示装置に表示させる前記アンプ側音量値を変更する指示が入力される第２入力部と、ユーザ操作によって、前記表示部が前記表示装置に表示させる前記アンプ側音量値を変更する指示が入力された場合、変更後の前記アンプ側音量値を前記増幅装置に送信する第２送信部とを有する。
【００２１】
この場合、コントローラにはユーザ操作によってコントローラ側音量値ではなく、アンプ側音量値を入力することができるので、コントローラ及び増幅装置は、アンプ側音量値とコントローラ側音量値とを変換する必要がなく、処理が簡素化される。また、コントローラはアンプ側音量値を表示するので、ユーザが第２入力部を操作し、どの程度アンプ側音量値を変更すればよいかが分かりやすくなる。
【００２２】
好ましい実施形態においては、前記コントローラと前記増幅装置とが接続解除する際の、前記表示部が前記表示装置に表示させる前記アンプ側音量値を記憶装置に記憶させる第２記憶部をさらに有し、前記コントローラと前記増幅装置とが接続された場合に、前記変更部が、前記第２記憶部によって記憶されている前記アンプ側音量値に、前記表示部が前記表示装置に表示させるアンプ側音量値を変更し、前記第２送信部が、前記第２記憶部によって記憶されている前記アンプ側音量値を前記増幅装置に送信する。
【００２３】
本発明のさらに別の好ましい実施形態による音量調整システムは、増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）を前記コントローラに送信する第２送信部とを有し、前記コントローラが、コントローラ側音量値を記憶装置に記憶させる記憶部と、前記アンプ側音量値、前記アンプ側設定最大音量値、および、前記アンプ側設定最小音量値（又は、前記アンプ側最小音量値）を前記増幅装置から受信する第２受信部と、コントローラ側最大音量値を前記アンプ側設定最大音量値に変更し、コントローラ側最小音量値を前記アンプ側設定最小音量値（又は、前記アンプ側最小音量値）に変更することによって、前記コントローラ側音量値の代わりに前記アンプ側音量値を表示装置に表示させる表示部と、前記表示部が前記表示装置に表示させる前記アンプ側音量値を、前記第２受信部によって受信された前記アンプ側音量値に変更する変更部と、ユーザ操作によって、前記表示部が前記表示装置に表示させる前記アンプ側音量値を変更する指示が入力される第２入力部と、ユーザ操作によって、前記表示部が前記表示装置に表示させる前記アンプ側音量値を変更する指示が入力された場合、変更後の前記アンプ側音量値を前記増幅装置に送信する第２送信部とを有する。
【００２４】
この場合、コントローラにはユーザ操作によってコントローラ側音量値ではなく、アンプ側音量値を入力することができるので、コントローラ及び増幅装置は、アンプ側音量値とコントローラ側音量値とを変換する必要がなく、処理が簡素化される。また、コントローラはアンプ側音量値を表示するので、ユーザが第２入力部を操作し、どの程度アンプ側音量値を変更すればよいかが分かりやすくなる。また、コントローラによってアンプ側設定最大音量値以上に変更されないので、アンプやスピーカーの破損を防止できる。
【００２５】
好ましい実施形態においては、前記コントローラと前記増幅装置とが接続解除する際の、前記表示部が前記表示装置に表示させる前記アンプ側音量値を記憶装置に記憶させる第２記憶部をさらに有し、前記コントローラと前記増幅装置とが接続された場合に、前記変更部が、前記第２記憶部によって記憶されている前記アンプ側音量値に、前記表示部が前記表示装置に表示させるアンプ側音量値を変更し、前記第２送信部が、前記第２記憶部によって記憶されている前記アンプ側音量値を前記増幅装置に送信する。
【００２６】
本発明の別の好ましい実施形態による音量調整システムは、増幅装置と、前記増幅装置に接続可能なコントローラとを備え、前記増幅装置が、音量値を前記コントローラから受信する第１受信部と、ユーザ操作に応じて前記音量値を変更する指示が入力される第１入力部と、前記第１入力部に入力された前記音量値を前記コントローラに送信する第１送信部と、前記第１受信部が前記音量値を受信した場合、又は、前記第１入力部に変更後の前記音量値が入力された場合、前記音量値に基づいて前記増幅装置の音量値を調整する音量調整部とを有し、前記コントローラが、前記音量値を表示装置に表示させる表示部と、前記音量値を前記増幅装置から受信する第２受信部と、前記表示部が前記表示装置に表示させる前記音量値を、前記第２受信部によって受信された前記音量値に変更する変更部と、ユーザ操作によって、前記表示部が前記表示装置に表示させる前記音量値を変更する指示が入力される第２入力部と、ユーザ操作によって、前記表示部が前記表示装置に表示させる前記音量値を変更する指示が入力された場合、変更後の前記音量値を前記増幅装置に送信する第２送信部とを有する。
【００２７】
増幅装置側では、第１入力部に音量値が入力されると、入力された音量値に基づいて増幅装置の音量値を調整し、第１送信部が音量値をコントローラに送信する。コントローラ側では、第２受信部が音量値を受信すると、変更部が、表示部が表示装置に表示させる音量値を、受信した音量値に変更する。一方、第２入力部に音量値が入力されると、変更部が、表示部が表示装置に表示させる音量値を、第２入力部に入力された音量値に変更し、第２送信部が、第２入力部に入力された音量値を増幅装置に送信する。増幅装置側では、第１受信部がコントローラから音量値を受信すると、受信した音量値に基づいて増幅装置の音量値を調整する。このように、増幅装置とコントローラとの間で音量値を通知しあうことにより、双方で管理している音量値を常に同じにすることができる。従って、音量値が変更された際に、アンプ側音量値を適切な値に変更することができる。
【００２８】
好ましい実施形態においては、前記コントローラに複数の前記増幅装置が接続可能であり、複数の前記増幅装置のうちの第１の増幅装置の前記第１送信部が、前記第１入力部に入力された前記音量値を前記コントローラに送信し、前記変更部が、前記表示部が前記表示装置に表示させる前記音量値を、前記第１の増幅装置から受信した前記音量値に変更し、前記第２送信部が、変更後の前記音量値を前記第１の増幅装置以外の前記増幅装置に送信し、前記第１の増幅装置以外の前記増幅装置の前記音量調整部が、受信した音量値に基づいて前記増幅装置の音量値を調整する。
【００２９】
好ましい実施形態においては、前記コントローラに複数の前記増幅装置が接続可能であり、前記各増幅装置の前記第１送信部が、接続時の自身の前記音量値を前記コントローラに送信し、前記コントローラが、前記各増幅装置の前記音量値のうちの一つを選択し、前記変更部が、前記表示部が前記表示装置に表示させる前記音量値を、選択された前記音量値に変更し、前記第２送信部が、変更後の前記音量値を、音量値が選択されなかった前記各増幅装置に送信し、音量値が選択されなかった前記各増幅装置の前記音量調整部が、受信した前記音量値に基づいて音量値を調整する。
【００３０】
好ましい実施形態においては、前記増幅装置に複数の前記コントローラが接続可能であり、前記各コントローラのうちの１つにおいて、ユーザ操作によって、前記表示部が前記表示装置に表示させる前記音量値を変更する指示が入力された場合、変更後の前記音量値を前記増幅装置に送信し、前記増幅装置において、前記音量調整部が、受信した前記音量値に基づいて前記増幅装置の音量値を調整し、前記第１送信部が、前記音量値を送信してきたコントローラ以外のコントローラに、前記音量値を送信し、前記音量値を送信してきたコントローラ以外のコントローラにおいて、前記変更部が、前記表示部が前記表示装置に表示させる前記音量値を前記増幅装置から受信した前記音量値に変更する。
【００３１】
好ましい実施形態においては、前記増幅装置に複数の前記コントローラが接続可能であり、前記各コントローラのうちの１つにおいて、ユーザ操作によって、前記表示部が前記表示装置に表示させる前記音量値を変更する指示が入力された場合、変更後の前記音量値を前記増幅装置、および、他の前記コントローラに送信し、前記増幅装置において、前記音量調整部が、受信した前記音量値に基づいて前記増幅装置の音量値を調整し、前記第１送信部が、前記音量値を送信してきたコントローラ以外のコントローラに、前記音量値を送信し、前記音量値を送信してきたコントローラ以外のコントローラにおいて、前記変更部が、前記表示部が前記表示装置に表示させる前記音量値を前記コントローラから受信した前記音量値に変更する。
【００３２】
好ましい実施形態においては、前記増幅装置と前記コントローラとが接続された場合に、前記第１送信部が、前記増幅装置の音量値を前記コントローラに送信する。
【００３３】
従って、前記増幅装置と前記コントローラとが接続された際に、双方で管理している音量値を常に同じにすることができる。従って、音量値が変更された際に、アンプ側音量値を適切な値に変更することができる。
【００３４】
好ましい実施形態においては、前記コントローラは、前記コントローラと前記増幅装置とが接続解除する際の前記表示部に表示される前記音量値を記憶装置に記憶させる記憶部をさらに有し、前記コントローラと前記増幅装置とが接続された場合に、前記変更部が、前記記憶部によって記憶されている前記音量値に前記表示部に表示される音量値を変更し、前記コントローラと前記増幅装置とが接続された場合に、前記第２送信部が、前記記憶部によって記憶されている前記音量値を前記増幅装置に送信する。
【００３５】
コントローラと増幅装置とが接続解除する際に、コントローラは表示部に表示されている音量値を記憶しておく。次に、コントローラと増幅装置とが接続された場合に、変更部が、記憶されている音量値に表示部に表示される音量値を変更し、第２送信部が、記憶されている音量値を増幅装置に送信する。増幅装置側では、第１受信部がコントローラから音量値を受信すると、受信した音量値に基づいて音量調整値が音量を調整する。従って、コントローラと増幅装置とが接続されていないときに増幅装置の音量値が変更された場合でも、コントローラと増幅装置とが接続解除する際に記憶しておいた音量値に復帰させることができる。
【００３６】
好ましい実施形態においては、前記コントローラに対して複数の前記増幅装置が接続可能であり、前記記憶部が、複数の前記増幅装置毎に、前記コントローラと前記増幅装置とが接続解除する際の、前記表示部が前記表示装置に表示させる前記音量値を記憶し、前記変更部が、前記コントローラと前記増幅装置とが接続された場合に、接続された前記増幅装置に対応付けて前記記憶部によって記憶されている前記音量値に、前記表示部が前記表示装置に表示させる音量値を変更し、前記第２送信部が、前記コントローラと前記増幅装置とが接続された場合に、接続された前記増幅装置に対応付けて前記記憶部によって記憶されている前記音量値を前記増幅装置に送信する。
【００３７】
本発明の好ましい実施形態による音量調整システムは、増幅装置と、前記増幅装置に接続可能なコントローラとを備え、前記増幅装置が、コントローラ側音量値を前記コントローラから受信する第１受信部と、前記第１受信部によって受信された前記コントローラ側音量値を、アンプ側音量値に変換する第１変換部と、ユーザ操作に応じて前記アンプ側音量値を変更する指示が入力される第１入力部と、ユーザ操作に応じて前記アンプ側音量値を変更する指示が入力された場合、前記アンプ側音量値を前記コントローラに送信する第１送信部と、前記第１受信部が前記コントローラ側音量値を受信した場合、又は、前記第１入力部に変更後の前記アンプ側音量値が入力された場合、前記アンプ側音量値に基づいて前記増幅装置の音量値を調整する音量調整部とを有し、前記コントローラが、前記コントローラ側音量値を表示装置に表示させる表示部と、前記アンプ側音量値を前記増幅装置から受信する第２受信部と、前記第２受信部によって受信された前記アンプ側音量値を、前記コントローラ側音量値に変換する第２変換部と、前記表示部が前記表示装置に表示させる前記コントローラ側音量値を、前記第２変換部によって変換された前記コントローラ側音量値に変更する変更部と、ユーザ操作によって、前記表示部が前記表示装置に表示させる前記コントローラ側音量値を変更する指示が入力される第２入力部と、ユーザ操作によって、前記表示部が前記表示装置に表示させる前記コントローラ側音量値を変更する指示が入力された場合、変更後の前記コントローラ側音量値を前記増幅装置に送信する第２送信部とを有する。
【００３８】
好ましくは、前記コントローラと前記増幅装置とが接続解除する際の、前記表示部が前記表示装置に表示させる前記コントローラ側音量値を記憶装置に記憶させる記憶部をさらに有し、前記コントローラと前記増幅装置とが接続された場合に、前記変更部が、前記記憶部によって記憶されている前記コンローラ側音量値に、前記表示部が前記表示装置に表示させるコントローラ側音量値を変更し、前記第２送信部が、前記記憶部によって記憶されている前記コントローラ側音量値を前記増幅装置に送信する。
【００３９】
本発明の好ましい実施形態による音量調整システムは、増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラ側音量値に変換する第１変換部と、前記第１変換部によって変換された前記コントローラ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部とを有し、前記コントローラが、前記コントローラ側音量値を表示装置に表示させる表示部と、前記コントローラ側音量値を前記増幅装置から受信する第２受信部と、前記表示部が前記表示装置に表示させる前記コントローラ側音量値を、前記第２受信部によって受信された前記コントローラ側音量値に変更する変更部と、ユーザ操作によって、前記表示部が前記表示装置に表示させる前記コントローラ側音量値を変更する指示が入力される第２入力部と、ユーザ操作によって、前記表示部が前記表示装置に表示させる前記コントローラ側音量値を変更する指示が入力された場合、変更後の前記コントローラ側音量値を、前記アンプ側音量値に変換する第２変換部と、前記第２変換部によって変換された前記アンプ側音量値を前記増幅装置に送信する第２送信部とを有する。
【００４０】
好ましくは、前記コントローラと前記増幅装置とが接続解除する際の、前記表示部が前記表示装置に表示させる前記コントローラ側音量値を記憶装置に記憶させる記憶部をさらに有し、前記コントローラと前記増幅装置とが接続された場合に、前記変更部が、前記記憶部によって記憶されている前記コンローラ側音量値に、前記表示部が前記表示装置に表示させるコントローラ側音量値を変更し、前記第２変換部が、前記記憶部によって記憶されている前記コンローラ側音量値を前記アンプ側音量値に変換し、  前記第２送信部が、前記第２変換部によって変換された前記アンプ側音量値を前記増幅装置に送信する。
【発明の効果】
【００４１】
コントローラ側音量値が変更された際に、コントローラ側音量値の変化量に応じて、増幅装置の音量値を適切に変更することができる音量調整システムを提供することができる。
【図面の簡単な説明】
【００４２】
【図１】本発明の好ましい実施形態によるＰＣ及びＡＶアンプを示すブロック図である。
【図２】コントローラの操作画面を示す図である。
【図３】ＡＶアンプの制御部の処理を示すフローチャートである。
【図４】コントローラの処理を示すフローチャートである。
【図５】ＡＶアンプの制御部の処理を示すフローチャートである。
【図６】コントローラの処理を示すフローチャートである。
【図７】コントローラの処理を示すフローチャートである。
【図８】コントローラの操作画面を示す図である。
【図９】ＡＶアンプの制御部の処理を示すフローチャートである。
【図１０】ＡＶアンプの制御部の処理を示すフローチャートである。
【図１１】コントローラの操作画面を示す図である。
【図１２】コントローラの処理を示すフローチャートである。
【図１３】コントローラの操作画面を示す図である。
【図１４】ＡＶアンプの制御部の処理を示すフローチャートである。
【図１５】コントローラの処理を示すフローチャートである。
【図１６】コントローラの操作画面を示す図である。
【図１７】コントローラの処理を示すフローチャートである。
【図１８】コントローラの操作画面を示す図である。
【図１９】コントローラの処理を示すフローチャートである。
【図２０】コントローラの操作画面を示す図である。
【図２１】コントローラの処理を示すフローチャートである。
【図２２】コントローラの処理を示すフローチャートである。
【図２３】コントローラの処理を示すフローチャートである。
【図２４】コントローラに複数のＡＶアンプが接続される場合の動作を示す図である。
【図２５】コントローラに複数のＡＶアンプが接続される場合の動作を示す図である。
【図２６】コントローラに複数のＡＶアンプが接続される場合の動作を示す図である。
【図２７】コントローラに複数のＡＶアンプが接続される場合の動作を示す図である。
【図２８】ＡＶアンプの処理を示すフローチャートである。
【図２９】コントローラの処理を示すフローチャートである。
【図３０】コントローラの処理を示すフローチャートである。
【図３１】ＡＶアンプの処理を示すフローチャートである。
【図３２】コントローラの処理を示すフローチャートである。
【図３３】コントローラの処理を示すフローチャートである。
【図３４】ＡＶアンプの処理を示すフローチャートである。
【図３５】ＡＶアンプに複数のコントローラが接続される場合の動作を示す図である。
【図３６】ＡＶアンプに複数のコントローラが接続される場合の動作を示す図である。
【発明を実施するための形態】
【００４３】
以下、本発明の好ましい実施形態について、図面を参照して具体的に説明するが、本発明はこれらの実施形態には限定されない。
[実施例１]
図１に示すように、本発明の音量調整システムは、ＰＣ１とＡＶアンプ（ＡＶレシーバともいう。）等の増幅装置１１とを備え、これらはＬＡＮ等のネットワークを介して相互に接続可能である。または、これらは、ＨＤＭＩ、ＩＥＥＥ１３９４、ＵＳＢ、インターネット等の他の電気通信回線を介して接続されてもよい。
【００４４】
ＰＣ１は、ＣＰＵ２と、ＨＤＤ３と、メモリ（ＲＯＭ、ＲＡＭ等）４と、操作部５と、表示部６と、通信部７とを備える。ＣＰＵ２は、ＨＤＤ３に記録されているＯＳやその他のプログラムに基づいて、ＰＣ１の各部を制御する。ＨＤＤ３には、サーバプログラム（以下、サーバという。）３Ａおよびコントローラプログラム（以下、コントローラという。）３Ｂがインストールされている。これらは、ＣＰＵ２によってメモリ４内に展開されて実行される。また、ＨＤＤ３には、複数のコンテンツデータが記録されている。コンテンツデータとはオーディオデータのことであり、本例では、オーディオファイルである。サーバ３Ａは、ＡＶアンプ１１からオーディオファイルの送信要求を受信すると、オーディオファイルをＨＤＤから読み出して、ＬＡＮ経由でＡＶアンプ１１に送信する。
【００４５】
コントローラ３Ｂは、ＡＶアンプ１１のコンテンツ再生を制御する。コントローラ３Ｂは、ユーザ操作によって、ＨＤＤ３に記録されたオーディオファイルの中から再生すべきオーディオファイルが選択されると、選択されたオーディオファイルの再生指示をＬＡＮ経由でＡＶアンプ１１に送信する。
【００４６】
コントローラ３Ｂは、コントローラ側音量値をメモリ４に記憶させる。コントローラ側音量値は、ＡＶアンプ１１の音量値をコントローラ３Ｂ側で調整するために、コントローラ３Ｂ側で管理される音量値である。コントローラ３Ｂは、ユーザ操作によってコントローラ側音量値の変更指示が入力されると、変更後のコントローラ側音量値をＡＶアンプ１１に送信し、ＡＶアンプ１１の音量値を変更させる。
【００４７】
図２は、コントローラ３Ｂの操作画面を示す図である。操作画面には、制御対象のＡＶアンプ１１を示す領域２１と、ＡＶアンプ１１に再生させるオーディオファイルを示す領域２２と、各種操作ボタンを示す領域２３とを含み、領域２３はコントローラ側音量値を示すスライドバー２４を含む。コントローラ側音量値は、スライドバーを移動させることによって、コントローラ側最小音量値〜コントローラ側最大音量値（特に限定されないが例えば０〜１００）の範囲で変更可能である。コントローラ側最小音量値、および、コントローラ側最大音量値は、メモリ４に予め登録されている。
【００４８】
操作部５は、ユーザ操作が入力されるものであり、例えばマウス、キーボード、リモコン等である。表示部６は、図２のコントローラ３Ｂの操作画面を表示するものであり、例えばＬＣＤ等である。通信部７は、ＬＡＮ経由でＡＶアンプ１１と通信するものであり、例えばＬＡＮインターフェースである。
【００４９】
ＡＶアンプ１１は、制御部１２と、メモリ（ＲＯＭ、ＲＡＭ等）１３と、ＤＳＰ１４と、増幅部１５と、音量調整部１６と、通信部１７と、操作部１８と、表示部１９とを備える。制御部１２は、メモリ１３に格納されているＡＶアンプの動作プログラムに基づいて、後述する各処理を実行するもので、例えばマイコン等である。制御部１２は、コントローラ３Ｂからオーディオファイルの再生指示を受信すると、サーバ３Ａにオーディオファイルの送信を要求する。
【００５０】
通信部１７は、ＬＡＮ経由でＰＣ１と通信するものであり、例えばＬＡＮインターフェースである。通信部１７によってサーバ３Ｂからのオーディオファイルが受信されると、ＤＳＰ１４は、オーディオファイルに対してデコード、Ｄ/Ａ変換を実行し、アナログオーディオ信号を生成する。音量調整部１６はオーディオ信号の音量値を調整し、増幅部１５はオーディオ信号を増幅し、外部に接続されたスピーカーから音声を出力する。操作部１８は、ユーザ操作が入力されるものであり、操作ボタンやリモコン等である。操作部１８は、音量調整部１６の音量値（アンプ側音量値ＶＡという。）を変更するための音量調整ツマミを含む。表示部１９は、アンプ側音量値ＶＡ等を表示するものであり、例えばＦＬ管等である。
【００５１】
制御部１２は、コントローラ３Ｂからコントローラ側音量値ＶＣを受信すると、コントローラ側音量値ＶＣをアンプ側音量値ＶＡに変換し、音量調整部１６に音量を変更させる。また、制御部１２は、音量調整ツマミやリモコンのユーザ操作によってアンプ側音量値が変更された場合、変更後のアンプ側音量値をコントローラ側音量値に変更し、コントローラ３Ｂに送信する。コントローラ３Ｂは、コントローラ側音量値を受信すると、メモリ４に記憶しているコントローラ側音量値を受信した値に変更し、スライドバーをコントローラ側音量値に移動させる。これにより、音量調整ツマミやリモコンのユーザ操作によってアンプ側音量値が変更された場合にも、コントローラ３Ｂが管理するコントローラ側音量値も変更することができ、その結果、ユーザ操作によってコントローラ側音量値を変更することによって、適切にアンプ側音量値を変更することができる。
【００５２】
次に、本例の動作を説明する。図３は、ＡＶアンプ１１の制御部１２の処理を示すフローチャートであり、図４は、コントローラ３Ｂの処理を示すフローチャートである。図４に示すように、コントローラ３Ｂは、例えば、ＬＡＮに接続された機器の中からＡＶアンプ１１がユーザ操作によって選択され、ＡＶアンプ１１と接続すると、コントローラ側最大音量値ＶＣｍａｘ（本例では１００）およびコントローラ側最小音量値ＶＣｍｉｎ（本例では０）をＡＶアンプ１１に送信する（Ｓ１１）。
【００５３】
ＡＶアンプ１１の制御部１２は、図３に示すとおり、コントローラ側最大音量値ＶＣｍａｘおよびコントローラ側最小音量値ＶＣｍｉｎを受信したか否かを判断している（Ｓ１）。受信した場合（Ｓ１でＹＥＳ）、制御部１２は、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ１３に記憶させる（Ｓ２）。アンプ側最大音量値ＶＡｍａｘは、操作部１８のユーザ操作に応じて変更可能な音量調整部１６の最大音量値であり、特に限定されないが本例では０（ｄＢ）である。アンプ側最小音量値ＶＡｍｉｎは、操作部１８のユーザ操作に応じて変更可能な音量調整部１６の最小音量値であり、特に限定されないが本例では−５０（ｄＢ）である。これらの値はメモリ１３に予め登録されている。
【００５４】
制御部１２は、現在のアンプ側音量値ＶＡをコントローラ側音量値ＶＣに変換し、コントローラ３Ｂに通知する（Ｓ３）。詳細には、制御部１２は、下記式１に基づいてコントローラ側音量値ＶＣを算出する。例えば、アンプ側音量値ＶＡが−２０（ｄＢ）であれば、コントローラ側音量値ＶＣは６０となる。
【数１】
2011199837.tif 000003
【００５５】
図４に示すように、コントローラ３Ｂは、ＡＶアンプ１１からコントローラ側音量値を受信したか否かを判断する（Ｓ１２）。受信しない場合（Ｓ１２でＮＯ）、Ｓ１４に進む。受信した場合（Ｓ１２でＹＥＳ）、コントローラ３Ｂは、受信したコントローラ側音量値ＶＣをメモリ４に記憶し、スライドバーを受信したコントローラ側音量値ＶＣに基づいて変更する（Ｓ１３）。受信したコントローラ側音量値ＶＣが６０であれば、スライドバーを６０まで移動させる。
【００５６】
コントローラ３Ｂは、ユーザ操作によってスライドバーが移動されたか否かを判断する（Ｓ１４）。移動されない場合（Ｓ１４でＮＯ）、Ｓ１２に戻る。移動された場合（Ｓ１４でＹＥＳ）、コントローラ３Ｂは、移動後のスライドバーの位置によって決定されるコントローラ側音量値ＶＣをメモリ４に記憶し、コントローラ側音量値ＶＣをＡＶアンプ１１に送信する（Ｓ１５）。
【００５７】
図３に示すように、ＡＶアンプ１１の制御部１２は、コントローラ側音量値ＶＣを受信したか否かを判断する（Ｓ４）。受信しない場合（Ｓ４でＮＯ）、Ｓ６に進む。受信した場合（Ｓ４でＹＥＳ）、制御部１２は、受信したコントローラ側音量値ＶＣをアンプ側音量値に変換し、音量調整部１６に音量を変更させる（Ｓ５）。詳細には、制御部１２は、下記式２に基づいて、アンプ側音量値を算出する。例えば、コントローラ側音量値ＶＣが８０であれば、アンプ側音量値ＶＡは−１０（ｄＢ）となる。
【数２】
2011199837.tif 000004
【００５８】
続いて、制御部１２は、ユーザ操作によって、音量調整つまみ（または、リモコンの音量調整ボタン）が操作されたか否かを判断する（Ｓ６）。つまり、ユーザ操作によって、アンプ側音量値ＶＡを変更する指示が入力されたか否かが判断される。操作されなければ（Ｓ６でＮＯ）、Ｓ４に戻る。操作された場合（Ｓ６でＹＥＳ）、制御部１２は、音量調整つまみの操作位置に応じて決定されるアンプ側音量値ＶＡに、音量調整部１６の音量を変更させる（Ｓ７）。制御部１２は、変更後のアンプ側音量値ＶＡを上記式１に基づいてコントローラ側音量値ＶＡに変更し、コントローラ３Ｂに通知する（Ｓ８）。
【００５９】
先ほどと同様に、コントローラ３Ｂは、ＡＶアンプ１１からコントローラ側音量値を受信したか否かを判断する（Ｓ１２）。受信した場合（Ｓ１２でＹＥＳ）、コントローラ３Ｂは、受信したコントローラ側音量値ＶＣをメモリ４に記憶し、スライドバーを受信したコントローラ側音量値ＶＣに基づいて変更する（Ｓ１３）。
【００６０】
以上のように、ＡＶアンプ１１の制御部１１とコントローラ３Ｂとの間で、相互にコントローラ側音量値を通知しあうことにより、双方で管理しているコントローラ側音量値ＶＣを常に同じにすることができる。従って、コントローラ側音量値が変更された際に、アンプ側音量値ＶＡを適切な値に変更することができる。なお、コントローラ３ＢとＡＶアンプ１１との接続時に、コントローラ３Ｂのコントローラ側音量値がＡＶアンプ１１に送信され、ＡＶアンプ１１のアンプ側音量値をコントローラ側音量値に合わせるようにしてもよい。以下の他の実施例でも同様である。
【００６１】
[実施例２]
次に、本発明の別の好ましい実施形態を説明する。実施例１と比較して、本例では、コントローラ３Ｂがコントローラ側音量値ＶＣとアンプ側音量値ＶＡとの変換を実行する。従って、コントローラ３Ｂと制御部１２との間ではアンプ側音量値が相互に通知される。図５は、ＡＶアンプ１１の制御部１２の処理を示すフローチャートであり、図６は、コントローラ３Ｂの処理を示すフローチャートである。コントローラ３Ｂが、例えば、ＬＡＮに接続された機器の中からＡＶアンプ１１がユーザ操作によって選択され、ＡＶアンプ１１と接続すると、図５に示すように、ＡＶアンプ１１の制御部１２は、アンプ側最大音量値ＶＡｍａｘ（本例では０ｄＢ）およびアンプ側最小音量値ＶＡｍｉｎ（本例では−５０ｄＢ）をメモリ１３から読み出してコントローラ３Ｂに送信する（Ｓ２１）。
【００６２】
コントローラ３Ｂは、図６に示すとおり、アンプ側最大音量値ＶＡｍａｘおよびアンプ側最小音量値ＶＡｍｉｎを受信したか否かを判断している（Ｓ３１）。受信した場合（Ｓ３１でＹＥＳ）、コントローラ３Ｂは、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ４に記憶させる（Ｓ３２）。
【００６３】
図５に示すように、ＡＶアンプ１１の制御部１２は、現在のアンプ側音量値ＶＡをコントローラ３Ｂに通知する（Ｓ２２）。図６に示すように、コントローラ３Ｂは、ＡＶアンプ１１からアンプ側音量値ＶＡを受信したか否かを判断する（Ｓ３３）。受信しない場合（Ｓ３３でＮＯ）、Ｓ３５に進む。受信した場合（Ｓ３３でＹＥＳ）、コントローラ３Ｂは、受信したアンプ側音量値ＶＡを上記式１に基づいてコントローラ側音量値ＶＣに変換し、メモリ４に記憶し、スライドバーをコントローラ側音量値ＶＣに基づいて変更する（Ｓ３４）。
【００６４】
続いて、コントローラ３Ｂは、ユーザ操作によってスライドバーが移動されたか否かを判断する（Ｓ３５）。移動されない場合（Ｓ３５でＮＯ）、Ｓ３３に戻る。移動された場合（Ｓ３５でＹＥＳ）、コントローラ３Ｂは、移動後のスライドバーの位置によって決定されるコントローラ側音量値ＶＣをメモリ４に記憶し、コントローラ側音量値ＶＣを上記式２に基づいてアンプ側音量値ＶＡに変換し、ＡＶアンプ１１に送信する（Ｓ３６）。
【００６５】
図５に示すように、ＡＶアンプ１１の制御部１２は、アンプ側音量値ＶＡを受信したか否かを判断する（Ｓ２３）。受信しない場合（Ｓ２３でＮＯ）、Ｓ２５に進む。受信した場合（Ｓ２３でＹＥＳ）、制御部１２は、受信したアンプ側音量値ＶＡに、音量調整部１６の音量を変更させる（Ｓ２４）。続いて、制御部１２は、ユーザ操作によって、音量調整つまみ（または、リモコンの音量調整ボタン）が操作されたか否かを判断する（Ｓ２５）。つまり、ユーザ操作によって、アンプ側音量値ＶＡを変更する指示が入力されたか否かが判断される。操作されなければ（Ｓ２５でＮＯ）、Ｓ２３に戻る。操作された場合（Ｓ２５でＹＥＳ）、制御部１２は、音量調整つまみの操作位置に応じて決定されるアンプ側音量値ＶＡに、音量調整部１６の音量を変更させる（Ｓ２６）。制御部１２は、変更後のアンプ側音量値ＶＡを、コントローラ３Ｂに通知する（Ｓ２７）。
【００６６】
先ほどと同様に、コントローラ３Ｂは、ＡＶアンプ１１からアンプ側音量値ＶＡを受信したか否かを判断する（Ｓ３３）。受信した場合（Ｓ３３でＹＥＳ）、コントローラ３Ｂは、受信したアンプ側音量値ＶＡを上記式１に基づいてコントローラ側音量値ＶＣに変換し、メモリ４に記憶し、スライドバーをコントローラ側音量値ＶＣに基づいて変更する（Ｓ３４）。
【００６７】
以上のように、ＡＶアンプ１１の制御部１１とコントローラ３Ｂとの間で、相互にアンプ側音量値を通知しあうことにより、双方で管理しているアンプ側音量値ＶＡを同じにすることができる。従って、コントローラ側音量値が変更された際に、アンプ側音量値ＶＡを適切な値に変更することができる。
【００６８】
[実施例３]
次に、本発明のさらに別の好ましい実施形態を説明する。実施例２と比較して、本例では、コントローラ３Ｂはスライドバーに、コントローラ側音量値ＶＣ（コントローラ側最大音量値ＶＣｍａｘ、コントローラ側最小音量値ＶＣｍｉｎ）ではなくアンプ側音量値ＶＡ（アンプ側最大音量値ＶＡｍａｘ、アンプ側最小音量値ＶＡｍｉｎ）を表示するようにする。図７は、コントローラ３Ｂの処理を示すフローチャートである。なお、ＡＶアンプ１１の制御部１２の処理は図５と同じであり、説明を援用する。
【００６９】
図７に示すように、コントローラ３Ｂは、アンプ側最大音量値ＶＡｍａｘおよびアンプ側最小音量値ＶＡｍｉｎを受信したか否かを判断している（Ｓ４１）。受信した場合（Ｓ４１でＹＥＳ）、コントローラ３Ｂは、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ４に記憶させる。そして、コントローラ３Ｂは、図８に示すように、スライドバーの表示を、コントローラ側音量値ＶＣからアンプ側音量値ＶＡに変更する（Ｓ４２）。また、コントローラ３Ｂは、スライドバーに表示されるコントローラ側最大音量値ＶＣｍａｘをアンプ側最大音量値ＶＡｍａｘに変更し、コントローラ側最小音量値ＶＣｍｉｎをアンプ側最小音量値ＶＡｍｉｎに変更する。例えば、アンプ側最大音量値ＶＡｍａｘが０ｄＢであり、アンプ側最小音量値ＶＡｍｉｎが−５０ｄＢであれば、図８のように、スライドバーに移動可能範囲を−５０〜０に変更する。
【００７０】
コントローラ３Ｂは、アンプ側音量値ＶＡを受信したか否かを判断する（Ｓ４３）。受信した場合（Ｓ４３でＹＥＳ）、コントローラ３Ｂは、アンプ側音量値ＶＡをメモリ４に記憶し、アンプ側音量値ＶＡに基づいてスライドバーの位置を移動させる（Ｓ４４）。また、コントローラ３Ｂは、ユーザ操作によってスライドバーが移動されたか否かを判断する（Ｓ４５）。移動された場合（Ｓ４５でＹＥＳ）、コントローラ３Ｂは、スライドバーの位置によって特定されるアンプ側音量値ＶＡをメモリ４に記憶し、ＡＶアンプ１１に通知する（Ｓ４６）。
【００７１】
以上のように、本例によると、コントローラ３ＢがＡＶアンプ１１から受信したアンプ側最大音量値ＶＡｍａｘおよびアンプ側最小音量値ＶＡｍｉｎに基づいて、スライドバーの表示をアンプ側音量値ＶＡに変更し、コントローラ側音量値ＶＣではなくアンプ側音量値ＶＡによってユーザ操作を受け付ける。従って、アンプ側音量値ＶＡとコントローラ側音量値ＶＣとの変換処理が不要となる。
【００７２】
［実施例４］
次に、本発明のさらに別の好ましい実施形態を説明する。実施例１と比較して、本例では、コントローラ３Ｂによって（つまり、コントローラ側音量値によって）調整可能なアンプ側音量値ＶＡの最大値であるアンプ側設定最大音量値ＶＡＳｍａｘと、コントローラ３Ｂによって（つまり、コントローラ側音量値によって）調整可能なアンプ側音量値ＶＡの最小値であるアンプ側設定最小音量値ＶＡＳｍｉｎとがメモリ１３に設定されている。言い換えると、コントローラ３Ｂによって調整可能なアンプ側音量値ＶＡの範囲と、操作部１８によって調整可能なアンプ側音量値ＶＡの範囲とが異なっている。アンプ側設定最大音量値ＶＡＳｍａｘは、アンプ側最大音量値ＶＡｍａｘよりも小さな値に設定されており、増幅部１５やスピーカーが破損しない程度の値に設定されている。アンプ側設定最小音量値ＶＡＳｍｉｎは、アンプ側最小音量値ＶＡｍｉｎよりも大きな値に設定されている。例えば、アンプ側設定最大音量値ＶＡＳｍａｘは−１０ｄＢであり、アンプ側設定最小音量値ＶＡＳｍｉｎは−４０ｄＢである。アンプ側設定最大音量値ＶＡＳｍａｘおよびアンプ側設定最小音量値ＶＡＳｍｉｎはユーザ操作によって変更可能でもよく、変更不可能でもよい。
【００７３】
図９はＡＶアンプ１１の制御部１２の処理を示すフローチャートである。コントローラ３Ｂの処理は図４と同じであり、説明を援用する。ＡＶアンプ１１の制御部１２は、コントローラ側最大音量値ＶＣｍａｘおよびコントローラ側最小音量値ＶＣｍｉｎを受信したか否かを判断している（Ｓ５１）。受信した場合（Ｓ５１でＹＥＳ）、制御部１２は、アンプ側設定最大音量値ＶＡＳｍａｘをコントローラ側最大音量値ＶＣｍａｘに対応させ、アンプ側設定最小音量値ＶＡＳｍｉｎをコントローラ側最小音量値ＶＣｍｉｎに対応させ、メモリ１３に記憶させる（Ｓ５２）。
【００７４】
制御部１２は、現在のアンプ側音量値ＶＡをコントローラ側音量値ＶＣに変換し、コントローラ３Ｂに通知する（Ｓ５３）。詳細には、制御部１２は、下記式３に基づいて（すなわち、アンプ側設定最大音量値ＶＡＳｍａｘ、アンプ側設定最小音量値ＶＡＳｍｉｎ、コントローラ側最大音量値ＶＣｍａｘおよびコントローラ側最小音量値ＶＣｍｉｎ）に基づいて、コントローラ側音量値ＶＣを算出する。例えば、アンプ側音量値ＶＡが−２５（ｄＢ）であれば、コントローラ側音量値ＶＣは５０となる。
【数３】
2011199837.tif 000005
【００７５】
ただし、アンプ側音量値ＶＡがアンプ側設定最大音量値ＶＡＳｍａｘ以上であれば、アンプ側音量値ＶＡをアンプ側設定最大音量値ＶＡＳｍａｘとみなして計算する。つまり、アンプ側音量値ＶＡがアンプ側設定最大音量値ＶＡＳｍａｘ以上であれば、算出されるコントローラ側音量値ＶＣはコントローラ側最大音量値ＶＣｍａｘとなる。同様に、アンプ側音量値ＶＡがアンプ側設定最小音量値ＶＡＳｍｉｎ以下であれば、アンプ側音量値ＶＡをアンプ側設定最小音量値ＶＡＳｍｉｎとみなして計算する。つまり、アンプ側音量値ＶＡがアンプ側設定最小音量値ＶＡＳｍｉｎ以下であれば、算出されるコントローラ側音量値ＶＣはコントローラ側最小音量値ＶＣｍｉｎとなる。
【００７６】
また、制御部１２は、コントローラ側音量値ＶＣを受信したか否かを判断する（Ｓ５４）。受信しない場合（Ｓ５４でＮＯ）、Ｓ５６に進む。受信した場合（Ｓ５４でＹＥＳ）、制御部１２は、受信したコントローラ側音量値ＶＣをアンプ側音量値ＶＡに変換し、音量調整部１６に音量を変更させる（Ｓ５５）。詳細には、制御部１２は、下記式４に基づいて（すなわち、アンプ側設定最大音量値ＶＡＳｍａｘ、アンプ側設定最小音量値ＶＡＳｍｉｎ、コントローラ側最大音量値ＶＣｍａｘおよびコントローラ側最小音量値ＶＣｍｉｎ）に基づいて、アンプ側音量値ＶＡを算出する。例えば、コントローラ側音量値ＶＣが８０であれば、アンプ側音量値ＶＡは−１６（ｄＢ）となる。
【数４】
2011199837.tif 000006
【００７７】
続いて、制御部１２は、ユーザ操作によって、音量調整つまみ（または、リモコンの音量調整ボタン）が操作されたか否かを判断する（Ｓ５６）。つまり、ユーザ操作によって、アンプ側音量値ＶＡを変更する指示が入力されたか否かが判断される。操作されなければ（Ｓ５６でＮＯ）、Ｓ５４に戻る。操作された場合（Ｓ５６でＹＥＳ）、制御部１２は、音量調整つまみの操作位置に応じて決定されるアンプ側音量値ＶＡに、音量調整部１６の音量を変更させる（Ｓ５７）。制御部１２は、変更後のアンプ側音量値ＶＡを上記式３に基づいてコントローラ側音量値ＶＣに変更し、コントローラ３Ｂに通知する（Ｓ５８）。
【００７８】
以上のように、ＡＶアンプ１１の制御部１１とコントローラ３Ｂとの間で、相互にコントローラ側音量値を通知しあうことにより、双方で管理しているコントローラ側音量値ＶＣを同じにすることができる。従って、コントローラ側音量値が変更された際に、アンプ側音量値ＶＡを適切な値に変更することができる。また、アンプ側設定最大音量値ＶＡＳｍａｘ、アンプ側設定最小音量値ＶＡＳｍｉｎに基づいて、コントローラ側音量値ＶＣとアンプ側音量値ＶＡとが変換されるので、コントローラ側音量値ＶＣがコントローラ側最大音量値ＶＣｍａｘに変更されても、アンプ側音量値はアンプ側設定最大音量値ＶＡＳｍａｘまでしか増加しない。従って、増幅部１５やスピーカーの破損が防止される。なお、アンプ側設定最小音量値ＶＡＳｍｉｎを設けずに、アンプ側設定最大音量値ＶＡＳｍａｘのみを設けるようにしてもよく、この場合、アンプ側設定最大音量値ＶＡＳｍａｘ、アンプ側最小音量値ＶＡｍｉｎに基づいて、コントローラ側音量値ＶＣとアンプ側音量値ＶＡとが変換される。
【００７９】
［実施例５］
次に、本発明のさらに別の好ましい実施形態を説明する。実施例２と比較して、本例では、コントローラ３Ｂによって（つまり、コントローラ側音量値ＶＣによって）調整可能なアンプ側音量値ＶＡの最大値であるアンプ側設定最大音量値ＶＡＳｍａｘと、コントローラ３Ｂによって（つまり、コントローラ側音量値ＶＣによって）調整可能なアンプ側音量値ＶＡの最小値であるアンプ側設定最小音量値ＶＡＳｍｉｎとがメモリ１３に設定されている。アンプ側設定最大音量値ＶＡＳｍａｘは、アンプ側最大音量値ＶＡｍａｘよりも小さな値に設定されており、増幅部１５やスピーカーが破損しない程度の値に設定されている。アンプ側設定最小音量値ＶＡＳｍｉｎは、アンプ側最小音量値ＶＡｍｉｎよりも大きな値に設定されている。例えば、アンプ側設定最大音量値ＶＡＳｍａｘは−１０ｄＢであり、アンプ側設定最小音量値ＶＡＳｍｉｎは−４０ｄＢである。アンプ側設定最大音量値ＶＡＳｍａｘおよびアンプ側設定最小音量値ＶＡＳｍｉｎはユーザ操作によって変更可能でもよく、変更不可能でもよい。
【００８０】
図１０は、ＡＶアンプ１１の制御部１２の処理を示すフローチャートであり、図１１は、コントローラ３Ｂの処理を示すフローチャートである。コントローラ３Ｂが、例えば、ＬＡＮに接続された機器の中からＡＶアンプ１１がユーザ操作によって選択され、ＡＶアンプ１１と接続すると、図１０に示すように、ＡＶアンプ１１の制御部１２は、アンプ側設定最大音量値ＶＡＳｍａｘ（本例では−１０ｄＢ）およびアンプ側設定最小音量値ＶＡＳｍｉｎ（本例では−４０ｄＢ）をメモリ１３から読み出してコントローラ３Ｂに送信する（Ｓ６１）。なお、制御部１２の以降の処理は、図５の処理と同じであるので、説明を援用する（符号を同じにしている）。
【００８１】
コントローラ３Ｂは、図１１に示すとおり、アンプ側設定最大音量値ＶＡＳｍａｘおよびアンプ側設定最小音量値ＶＡＳｍｉｎを受信したか否かを判断している（Ｓ７１）。受信した場合（Ｓ７１でＹＥＳ）、コントローラ３Ｂは、アンプ側設定最大音量値ＶＡＳｍａｘをコントローラ側最大音量値ＶＣｍａｘに対応させ、アンプ側設定最小音量値ＶＡＳｍｉｎをコントローラ側最小音量値ＶＣｍｉｎに対応させ、メモリ４に記憶させる（Ｓ７２）。
【００８２】
コントローラ３Ｂは、ＡＶアンプ１１からアンプ側音量値ＶＡを受信したか否かを判断する（Ｓ７３）。受信しない場合（Ｓ７３でＮＯ）、Ｓ７５に進む。受信した場合（Ｓ７３でＹＥＳ）、コントローラ３Ｂは、受信したアンプ側音量値ＶＡを上記式３に基づいてコントローラ側音量値ＶＣに変換し、メモリ４に記憶し、スライドバーをコントローラ側音量値ＶＣに基づいて変更する（Ｓ７４）。
【００８３】
続いて、コントローラ３Ｂは、ユーザ操作によってスライドバーが移動されたか否かを判断する（Ｓ７５）。移動されない場合（Ｓ７５でＮＯ）、Ｓ７３に戻る。移動された場合（Ｓ７５でＹＥＳ）、コントローラ３Ｂは、移動後のスライドバーの位置によって決定されるコントローラ側音量値ＶＣをメモリ４に記憶し、コントローラ側音量値ＶＣを上記式４に基づいてアンプ側音量値ＶＡに変換し、ＡＶアンプ１１に送信する（Ｓ７６）。
【００８４】
以上のように、ＡＶアンプ１１の制御部１１とコントローラ３Ｂとの間で、相互にアンプ側音量値を通知しあうことにより、双方で管理しているアンプ側音量値ＶＡを同じにすることができる。従って、コントローラ側音量値が変更された際に、アンプ側音量値ＶＡを適切な値に変更することができる。アンプ側設定最大音量値ＶＡＳｍａｘ、アンプ側設定最小音量値ＶＡＳｍｉｎに基づいて、コントローラ側音量値ＶＣとアンプ側音量値ＶＡとが変換されるので、コントローラ側音量値ＶＣがコントローラ側最大音量値ＶＣｍａｘに変更されても、アンプ側音量値はアンプ側設定最大音量値ＶＡＳｍａｘまでしか増加しない。従って、増幅部１５やスピーカーの破損が防止される。なお、アンプ側設定最小音量値ＶＡＳｍｉｎを設けずに、アンプ側設定最大音量値ＶＡＳｍａｘのみを設けるようにしてもよい。
【００８５】
[実施例６]
次に、本発明のさらに別の好ましい実施形態を説明する。実施例５と比較して、本例では、コントローラ３Ｂはスライドバーに、コントローラ側音量値ではなくアンプ側音量値を表示するようにする。図１２は、コントローラ３Ｂの処理を示すフローチャートである。なお、ＡＶアンプ１１の制御部１２の処理は図１０と同じであり、説明を援用する。
【００８６】
図１２に示すように、コントローラ３Ｂは、アンプ側設定最大音量値ＶＡＳｍａｘおよびアンプ側設定最小音量値ＶＡＳｍｉｎを受信したか否かを判断している（Ｓ８１）。受信した場合（Ｓ８１でＹＥＳ）、コントローラ３Ｂは、アンプ側設定最大音量値ＶＡＳｍａｘをコントローラ側最大音量値ＶＣｍａｘに対応させ、アンプ側設定最小音量値ＶＡＳｍｉｎをコントローラ側最小音量値ＶＣｍｉｎに対応させ、メモリ４に記憶させる。そして、コントローラ３Ｂは、図１３に示すように、スライドバーの表示を、コントローラ側音量値ＶＣからアンプ側音量値ＶＡに変更する（Ｓ８２）。つまり、スライドバーに表示されるコントローラ側最大音量値ＶＣｍａｘをアンプ側設定最大音量値ＶＡＳｍａｘに変更し、コントローラ側最小音量値ＶＣｍｉｎをアンプ側設定最小音量値ＶＡＳｍｉｎに変更する。例えば、アンプ側設定最大音量値ＶＡＳｍａｘが−１０ｄＢであり、アンプ側設定最小音量値ＶＡＳｍｉｎが−４０ｄＢであれば、スライドバーの移動可能範囲を−４０〜−１０に変更する。
【００８７】
コントローラ３Ｂは、アンプ側音量値ＶＡを受信したか否かを判断する（Ｓ８３）。受信した場合（Ｓ８３でＹＥＳ）、コントローラ３Ｂは、アンプ側音量値ＶＡをメモリ４に記憶し、アンプ側音量値ＶＡに基づいてスライドバーの位置を移動させる（Ｓ８４）。また、コントローラ３Ｂは、ユーザ操作によってスライドバーが移動されたか否かを判断する（Ｓ８５）。移動された場合（Ｓ８５でＹＥＳ）、コントローラ３Ｂは、スライドバーの位置によって特定されるアンプ側音量値ＶＡをメモリ４に記憶し、ＡＶアンプ１１に通知する（Ｓ８６）。
【００８８】
以上のように、本例によると、コントローラ３ＢがＡＶアンプ１１から受信したアンプ側設定最大音量値ＶＡＳｍａｘおよびアンプ側設定最小音量値ＶＡＳｍｉｎに基づいて、スライドバーの表示をアンプ側音量値ＶＡに変更し、コントローラ側音量値ＶＣではなくアンプ側音量値ＶＡによってユーザ操作を受け付ける。従って、アンプ側音量値ＶＡとコントローラ側音量値ＶＣとの変換処理が不要となる。
【００８９】
[実施例７]
次に本発明のさらに別の好ましい実施形態を説明する。上記各実施例と比較し、本例では、コントローラ側音量値ＶＣとアンプ側音量値ＶＡとが元々共通の音量値Ｖとして用いられている。従って、制御部１２またはコントローラ３Ｂによって、コントローラ側音量値ＶＣとアンプ側音量値ＶＡとの間の変換処理が不要である。図１４は、ＡＶアンプ１１の制御部１２の処理を示すフローチャートであり、図１５は、コントローラ３Ｂの処理を示すフローチャートである。
【００９０】
コントローラ３ＢとＡＶアンプ１１とが接続したとき、図１４に示すように、ＡＶアンプ１１の制御部１２は、現在のＡＶアンプ１１の音量値Ｖをメモリから読み出して、コントローラ３Ｂに送信する（Ｓ９０）。図１５に示すように、コントローラ３Ｂは、音量値Ｖをコントローラ３Ｂから受信すると（Ｓ１０１でＹＥＳ）、受信した音量値Ｖをメモリ４に記憶し（Ｓ１０１）、受信した音量値Ｖに基づいてスライドバーを移動させる（Ｓ１０２）。
【００９１】
図１５に示すように、コントローラ３Ｂは、ユーザ操作によってスライドバーが移動されると（Ｓ１０３でＹＥＳ）、移動後のスライドバーの位置によって決定される音量値Ｖをメモリ４に記憶し、変更後の音量値ＶをＡＶアンプ１１に送信する（Ｓ１０４）。図１４に示すように、ＡＶアンプ１１の制御部１２は、音量値Ｖをコントローラ３Ｂから受信すると（Ｓ９１でＹＥＳ）、受信した音量値Ｖに基づいて、音量調整部１６の音量を変更させる（Ｓ９２）。
【００９２】
また、制御部１２は、音量調整つまみが操作されると（Ｓ９３でＹＥＳ）、音量調整つまみの位置によって決定される音量値Ｖに、音量調整部１６の音量を変更させ（Ｓ９４）、変更後の音量値Ｖをコントローラ３Ｂに送信する（Ｓ９５）。図１５に示すように、コントローラ３Ｂは、音量値Ｖをコントローラ３Ｂから受信すると（Ｓ１０１でＹＥＳ）、受信した音量値Ｖをメモリ４に記憶し（Ｓ１０１）、受信した音量値Ｖに基づいてスライドバーを移動させる（Ｓ１０２）。
【００９３】
[実施例８]
次に本発明のさらに別の好ましい実施形態を説明する。上記各実施例と比較し、本例では、コントローラ３ＢがＡＶアンプ１１と接続解除した際に、そのときのコントローラ側音量値ＶＣ（またはアンプ側音量値ＶＡ、音量値Ｖ）をメモリ４に記憶しておく。次回、コントローラ３ＢがＡＶアンプ１１に接続された際に、メモリ４からコントローラ側音量値ＶＣ（またはアンプ側音量値ＶＡ、音量値Ｖ）を読み出して、スライドバーを移動させ（コントローラ側音量値ＶＣ（またはアンプ側音量値ＶＡ、音量値Ｖ）を変更し）、かつ、ＡＶアンプ１１に送信する。これにより、ＡＶアンプ１１がコントローラ３Ｂと接続されていないときに、ユーザがＡＶアンプ１１の操作部を操作することによってアンプ側音量値が変更された場合であっても、コントローラ３Ｂが再度接続されたときに、最後にコントローラ３Ｂに接続されていたときのアンプ側音量値にＡＶアンプ１１を復帰させることができる。
【００９４】
図１６は、実施例１（図３、図４）に対応する本例のコントローラ３Ｂの処理を示すフローチャートであり、ＡＶアンプ１１の処理は図３においてＳ３の処理を省略したものとなる。コントローラ３Ｂは、ＡＶアンプ１１と接続解除すると判断すると（Ｓ１１２でＹＥＳ）、現在メモリ４に記憶されているコントローラ側音量値ＶＣをＡＶアンプ１１の識別情報（特に限定されないが、機器番号、シリアル番号等のＡＶアンプ１１を一意に特定できる情報）と対応付けてメモリ４に記憶する（Ｓ１１３）。なお、ＡＶアンプ１１の識別情報は、接続時にＡＶアンプ１１から取得することができる。
【００９５】
コントローラ３Ｂは次回ＡＶアンプ１１に接続した際に、ＡＶアンプ１１から識別情報を取得し、取得した識別情報に対応付けてメモリ４に記憶されている前回接続解除時のコントローラ側音量値ＶＣをメモリ４から読み出して、スライドバーの位置を変更させ、かつ、ＡＶアンプ１１にコントローラ側音量値ＶＣを送信する（Ｓ１１１）。ＡＶアンプ１１の制御部１２は、コントローラ側音量値ＶＣを受信すると（Ｓ４でＹＥＳ）、コントローラ側音量値ＶＣをアンプ側音量値に変換し、音量調整部１６に音量を変更させる（Ｓ５）。
【００９６】
なお、コントローラ３Ｂに複数のＡＶアンプ１１が接続可能である場合には、コントローラ３Ｂは、複数のＡＶアンプ１１の各々について、ＡＶアンプ１１の識別情報に対応付けて、コントローラ３ＢとＡＶアンプ１１とが接続解除する際のコントローラ側音量値ＶＣをメモリ４に記憶する。そして、次回コントローラ３ＢとＡＶアンプ１１とが接続された場合に、コントローラ３Ｂは、接続されたＡＶアンプ１１の識別情報に対応付けてメモリ４に記憶されているコントローラ側音量値ＶＣを読み出して、スライドバーを移動させる、接続されたＡＶアンプ１１にコントローラ側音量値ＶＣ送信する。
【００９７】
図１７は、実施例２（図５、図６）に対応する本例のコントローラ３Ｂの処理を示すフローチャートであり、ＡＶアンプ１１の処理は図５においてＳ２２の処理を省略したものとなる。コントローラ３Ｂは、ＡＶアンプ１１と接続解除すると判断すると（Ｓ１２２でＹＥＳ）、現在メモリ４に記憶されているコントローラ側音量値ＶＣをＡＶアンプ１１の識別情報と対応付けてメモリ４に記憶する（Ｓ１２３）。
【００９８】
コントローラ３Ｂは次回ＡＶアンプ１１に接続した際に、ＡＶアンプ１１から識別情報を取得し、取得した識別情報に対応付けてメモリ４に記憶されている前回接続解除時のコントローラ側音量値ＶＣをメモリ４から読み出して、スライドバーの位置を変更させ、かつ、アンプ側音量値ＶＡに変換し、ＡＶアンプ１１に送信する（Ｓ１２１）。ＡＶアンプ１１の制御部１２は、アンプ側音量値ＶＡを受信すると（Ｓ２３でＹＥＳ）、音量調整部１６に音量を変更させる（Ｓ２４）。
【００９９】
図１８は、実施例３（図７）に対応する本例のコントローラ３Ｂの処理を示すフローチャートである。コントローラ３Ｂは、ＡＶアンプ１１と接続解除すると判断すると（Ｓ１３２でＹＥＳ）、現在メモリ４に記憶されているアンプ側音量値ＶＡをＡＶアンプ１１の識別情報と対応付けてメモリ４に記憶する（Ｓ１３３）。
【０１００】
コントローラ３Ｂは次回ＡＶアンプ１１に接続した際に、ＡＶアンプ１１から識別情報を取得し、取得した識別情報に対応付けてメモリ４に記憶されている前回接続解除時のアンプ側音量値ＶＡをメモリ４から読み出して、スライドバーの位置を変更させ、ＡＶアンプ１１にアンプ側音量値ＶＡを送信する（Ｓ１３１）。ＡＶアンプ１１の制御部１２は、アンプ側音量値ＶＡを受信すると、音量調整部１６に音量を変更させる。
【０１０１】
図１９は、実施例５（図１０、図１１）に対応する本例のコントローラ３Ｂの処理を示すフローチャートであり、ＡＶアンプ１１の処理は図１０においてＳ２２の処理を省略したものとなる。コントローラ３Ｂは、ＡＶアンプ１１と接続解除すると判断すると（Ｓ１４２でＹＥＳ）、現在メモリ４に記憶されているコントローラ側音量値ＶＣをＡＶアンプ１１の識別情報と対応付けてメモリ４に記憶する（Ｓ１４３）。
【０１０２】
コントローラ３Ｂは次回ＡＶアンプ１１に接続した際に、ＡＶアンプ１１から識別情報を取得し、取得した識別情報に対応付けてメモリ４に記憶されている前回接続解除時のコントローラ側音量値ＶＣをメモリ４から読み出して、スライドバーの位置を変更させ、かつ、アンプ側音量値ＶＡに変換し、ＡＶアンプ１１に送信する（Ｓ１４１）。ＡＶアンプ１１の制御部１２は、アンプ側音量値ＶＡを受信すると（Ｓ２３でＹＥＳ）、音量調整部１６に音量を変更させる（Ｓ２４）。
【０１０３】
図２０は、実施例６（図１２）に対応する本例のコントローラ３Ｂの処理を示すフローチャートである。コントローラ３Ｂは、ＡＶアンプ１１と接続解除すると判断すると（Ｓ１５２でＹＥＳ）、現在メモリ４に記憶されているアンプ側音量値ＶＡをＡＶアンプ１１の識別情報と対応付けてメモリ４に記憶する（Ｓ１５３）。
【０１０４】
コントローラ３Ｂは次回ＡＶアンプ１１に接続した際に、ＡＶアンプ１１から識別情報を取得し、取得した識別情報に対応付けてメモリ４に記憶されている前回接続解除時のアンプ側音量値ＶＡをメモリ４から読み出して、スライドバーの位置を変更させ、かつ、ＡＶアンプ１１に送信する（Ｓ１５１）。ＡＶアンプ１１の制御部１２は、アンプ側音量値ＶＡを受信すると、音量調整部１６に音量を変更させる。
【０１０５】
図２１は、実施例７（図１４、図１５）に対応する本例のコントローラ３Ｂの処理を示すフローチャートであり、ＡＶアンプ１１の処理は図１４においてＳ９０の処理を省略したものとなる。コントローラ３Ｂは、ＡＶアンプ１１と接続解除すると判断すると（Ｓ１６２でＹＥＳ）、現在メモリ４に記憶されている音量値ＶをＡＶアンプ１１の識別情報と対応付けてメモリ４に記憶する（Ｓ１６３）。
【０１０６】
コントローラ３Ｂは次回ＡＶアンプ１１に接続した際に、ＡＶアンプ１１から識別情報を取得し、取得した識別情報に対応付けてメモリ４に記憶されている前回接続解除時の音量値Ｖをメモリ４から読み出して、スライドバーの位置を変更させ、かつ、ＡＶアンプ１１に送信する（Ｓ１６１）。ＡＶアンプ１１の制御部１２は、音量値Ｖを受信すると（Ｓ９１でＹＥＳ）、音量調整部１６に音量を変更させる（Ｓ９２）。
【０１０７】
なお、必要に応じて、コントローラ３Ｂは、ＡＶアンプ１１との接続解除時に、ＡＶアンプ１１の識別情報に対応付けて、アンプ側最大音量値ＶＡｍａｘ（または、アンプ側設定最大音量値ＶＡＳｍａｘ）、アンプ側最小音量値ＶＡｍｉｎ（または、アンプ側設定最小音量値ＶＡＳｍｉｎ）をメモリ４に記憶しておいて、次回接続にこれらの情報をメモリから読み出すことによって、次回接続時にＡＶアンプ１１がこれらの情報を再度コントローラ３Ｂに送信する必要がなくなる。
【０１０８】
［実施例９］
一般的には、コントローラ３Ｂに複数のＡＶアンプ１１が接続可能な場合、各ＡＶアンプに対して図２のコントローラ画面が生成され、各ＡＶアンプ１１を独立して音量制御する。しかし、上記各実施例において、複数のＡＶアンプ１１に対して１つのスライドバーを含む１つのコントローラ画面のみが生成され、複数のＡＶアンプ１１の音量を一斉に同じ値に制御するようにしてもよい。以下では、実施例７をベースに説明するが、他の実施例でも同様である。図２２、図２３は、コントローラ３Ｂの処理を示す。ＡＶアンプ１１の処理は図１４と概略同じである。図２４〜図２７は本例のコマンドの送受信を説明する模式図である。
【０１０９】
まず、初期動作を説明する。図２２、図２４に示すように、コントローラ３Ｂに複数のＡＶアンプ１１Ａ、１１Ｂが接続されたとき、（１）コントローラ３Ｂは現在のスライドバーの位置に対応する音量値Ｖ（又は、コントローラ側音量値、アンプ側音量値、以下同様。）を各ＡＶアンプ１１Ａ、１１Ｂに送信する（図２２のＳ１７１）。（２）ＡＶアンプ１１Ａ、１１Ｂは、コントローラ３Ｂから音量値を受信すると、自身の音量値を変更する（図１４のＳ９１、Ｓ９２）。これにより、コントローラ３Ｂと各ＡＶアンプ１１Ａ、１１Ｂとの音量値Ｖを一致させることができる。
【０１１０】
もしくは、図２３、図２５に示すように、コントローラ３Ｂに複数のＡＶアンプ１１Ａ、１１Ｂが接続されたとき、（１）各ＡＶアンプ１１Ａ、１１Ｂが現在の音量値Ｖをコントローラ３Ｂに送信する（図１４のＳ９０）。（２）コントローラ３Ｂは、各ＡＶアンプ１１Ａ、１１Ｂから受信した音量値Ｖの中から１つの音量値（特に限定されないが、例えば、最小の音量値）を選択し、スライドバーの位置を変化させる（図２３のＳ１８１、Ｓ１８２）。例えば、ＡＶアンプ１１Ａの音量値ＶがＡＶアンプ１１Ｂの音量値Ｖよりも小さければ、ＡＶアンプ１１の音量値Ｖが選択され、コントローラ３Ｂのスライドバーの位置が変更される。（３）コントローラ３Ｂは、コントローラ３Ｂに接続されており、音量値が選択されなかった全てのＡＶアンプ（ここでは、ＡＶアンプ１１Ｂ）に、選択された（ＡＶアンプ１１Ａの）音量値Ｖを送信する（図２３のＳ１８３）。（４）ＡＶアンプ１１Ｂは、コントローラ３Ｂから音量値を受信すると、ＡＶアンプ１１Ｂの音量値を変更する（図１４のＳ９１、Ｓ９２）。これにより、コントローラ３Ｂと各ＡＶアンプ１１Ａ、１１Ｂとの音量値Ｖを一致させることができる。なお、小さい方の音量値を選択することにより、他のＡＶアンプ１１の音量値がユーザの意に反して急激に増加することを防止することができる。
【０１１１】
続いて、図２６に示すように、（１）ユーザ操作によってコントローラ３Ｂのスライドバーが変更された場合（図２２、図２３のＳ１７５）、コントローラ３Ｂは、変更後の音量値Ｖをメモリに記憶し、スライドバーを移動させ、全ＡＶアンプ１１に対して変更後の音量値Ｖを送信する（Ｓ１７６）。（３）ＡＶアンプ１１Ａ、１１Ｂは、コントローラ３Ｂから音量値を受信すると、自身の音量値を変更する（図１４のＳ９１、Ｓ９２）。
【０１１２】
一方、図２７に示すように、（１）一方のＡＶアンプ（ここではＡＶアンプ１１Ａ）の音量値Ｖがユーザの音量調整つまみの操作によって変更された場合（図１４のＳ９３、Ｓ９４）、（２）ＡＶアンプ１１Ａは変更後の音量値Ｖをコントローラ３Ｂに送信する（Ｓ９５）。（３）コントローラ３Ｂは、ＡＶアンプ１１Ａから音量値Ｖを受信すると（図２２、図２３のＳ１７２）、受信した音量値Ｖにスライドバーの位置を変化させる（Ｓ１７３）。（４）コントローラ３Ｂは、音量値Ｖを送信してきたＡＶアンプ１１Ａ以外のコントローラ３Ｂに接続されている全ＡＶアンプ１１（ここではＡＶアンプ１１Ｂ）に変更後の音量値Ｖを送信する（Ｓ１７４）。（５）ＡＶアンプ１１Ｂは、コントローラ３Ｂから音量値を受信すると、ＡＶアンプ１１Ｂの音量値を変更する（図１４のＳ９１、Ｓ９２）。
【０１１３】
[実施例１０]
次に、本発明のさらに別の好ましい実施形態を説明する。実施例１、２と比較して、本例では、ＡＶアンプ１１とコントローラ３Ｂとの両方がコントローラ側音量値ＶＣとアンプ側音量値ＶＡとの変換を実行する。図２８は、ＡＶアンプ１１の制御部１２の処理を示すフローチャートであり、図２９は、コントローラ３Ｂの処理を示すフローチャートである。コントローラ３ＢがＡＶアンプ１１と接続すると、ＡＶアンプ１１の制御部１２は、アンプ側最大音量値ＶＡｍａｘ（本例では０ｄＢ）およびアンプ側最小音量値ＶＡｍｉｎをメモリ１３から読み出してコントローラ３Ｂに送信する（Ｓ１９１）。
【０１１４】
コントローラ３Ｂは、アンプ側最大音量値ＶＡｍａｘおよびアンプ側最小音量値ＶＡｍｉｎを受信したか否かを判断している（Ｓ２０２）。受信した場合（Ｓ２０２でＹＥＳ）、コントローラ３Ｂは、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ４に記憶させる（Ｓ２０３）。
【０１１５】
また、コントローラ３Ｂは、コントローラ側最大音量値ＶＣｍａｘおよびコントローラ側最小音量値ＶＣｍｉｎをＡＶアンプ１１に送信する（Ｓ２０１）。
【０１１６】
ＡＶアンプ１１の制御部１２は、コントローラ側最大音量値ＶＣｍａｘおよびコントローラ側最小音量値ＶＣｍｉｎを受信したか否かを判断している（Ｓ１９２）。受信した場合（Ｓ１９２でＹＥＳ）、制御部１２は、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ１３に記憶させる（Ｓ１９３）。
【０１１７】
ＡＶアンプ１１の制御部１２は、現在のアンプ側音量値ＶＡをコントローラ３Ｂに通知する（Ｓ１９４）。コントローラ３Ｂは、ＡＶアンプ１１からアンプ側音量値ＶＡを受信したか否かを判断する（Ｓ２０４）。受信した場合（Ｓ２０４でＹＥＳ）、コントローラ３Ｂは、受信したアンプ側音量値ＶＡを上記式１に基づいてコントローラ側音量値ＶＣに変換し、メモリ４に記憶し、スライドバーをコントローラ側音量値ＶＣに基づいて変更する（Ｓ２０５）。
【０１１８】
続いて、コントローラ３Ｂは、ユーザ操作によってスライドバーが移動されたか否かを判断する（Ｓ２０６）。移動された場合（Ｓ２０６でＹＥＳ）、コントローラ３Ｂは、移動後のスライドバーの位置によって決定されるコントローラ側音量値ＶＣをメモリ４に記憶し、ＡＶアンプ１１に送信する（Ｓ２０７）。
【０１１９】
ＡＶアンプ１１の制御部１２は、コントローラ側音量値ＶＣを受信したか否かを判断する（Ｓ１９５）。受信した場合（Ｓ１９５でＹＥＳ）、制御部１２は、受信したコントローラ側音量値ＶＣを上記式２に基づいてアンプ側音量値ＶＡに変換し、音量調整部１６の音量を変更させる（Ｓ１９６）。続いて、制御部１２は、ユーザ操作によって、音量調整つまみ（または、リモコンの音量調整ボタン）が操作されたか否かを判断する（Ｓ１９７）。操作された場合（Ｓ１９７でＹＥＳ）、制御部１２は、音量調整つまみの操作位置に応じて決定されるアンプ側音量値ＶＡに、音量調整部１６の音量を変更させる（Ｓ１９８）。制御部１２は、変更後のアンプ側音量値ＶＡを、コントローラ３Ｂに通知する（Ｓ１９９）。
【０１２０】
先ほどと同様に、コントローラ３Ｂは、ＡＶアンプ１１からアンプ側音量値ＶＡを受信したか否かを判断する（Ｓ２０４）。受信した場合（Ｓ２０４でＹＥＳ）、コントローラ３Ｂは、受信したアンプ側音量値ＶＡを上記式１に基づいてコントローラ側音量値ＶＣに変換し、メモリ４に記憶し、スライドバーをコントローラ側音量値ＶＣに基づいて変更する（Ｓ２０５）。
【０１２１】
図３０は、コントローラ３Ｂの別の処理を示すフローチャートである。コントローラ３Ｂは、ＡＶアンプ１１と接続解除すると判断すると（Ｓ２０９でＹＥＳ）、現在メモリ４に記憶されているコントローラ側音量値ＶＣをＡＶアンプ１１の識別情報と対応付けてメモリ４に記憶する（Ｓ２１０）。
【０１２２】
コントローラ３Ｂは次回ＡＶアンプ１１に接続した際に、ＡＶアンプ１１から識別情報を取得し、取得した識別情報に対応付けてメモリ４に記憶されている前回接続解除時のコントローラ側音量値ＶＣをメモリ４から読み出して、スライドバーの位置を変更させ、かつ、ＡＶアンプ１１にコントローラ側音量値ＶＣを送信する（Ｓ２０８）。ＡＶアンプ１１の制御部１２は、コントローラ側音量値ＶＣを受信すると（Ｓ１９５でＹＥＳ）、コントローラ側音量値ＶＣをアンプ側音量値に変換し、音量調整部１６に音量を変更させる（Ｓ１９６）。
【０１２３】
[実施例１１]
次に、本発明のさらに別の好ましい実施形態を説明する。実施例１、２と比較して、本例では、ＡＶアンプ１１とコントローラ３Ｂとの両方がコントローラ側音量値ＶＣとアンプ側音量値ＶＡとの変換を実行する。図３１は、ＡＶアンプ１１の制御部１２の処理を示すフローチャートであり、図３２は、コントローラ３Ｂの処理を示すフローチャートである。コントローラ３ＢがＡＶアンプ１１と接続すると、ＡＶアンプ１１の制御部１２は、アンプ側最大音量値ＶＡｍａｘおよびアンプ側最小音量値ＶＡｍｉｎをメモリ１３から読み出してコントローラ３Ｂに送信する（Ｓ２１１）。
【０１２４】
コントローラ３Ｂは、アンプ側最大音量値ＶＡｍａｘおよびアンプ側最小音量値ＶＡｍｉｎを受信したか否かを判断している（Ｓ２２２）。受信した場合（Ｓ２２２でＹＥＳ）、コントローラ３Ｂは、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ４に記憶させる（Ｓ２２３）。
【０１２５】
また、コントローラ３Ｂは、コントローラ側最大音量値ＶＣｍａｘおよびコントローラ側最小音量値ＶＣｍｉｎをＡＶアンプ１１に送信する（Ｓ２２１）。
【０１２６】
ＡＶアンプ１１の制御部１２は、コントローラ側最大音量値ＶＣｍａｘおよびコントローラ側最小音量値ＶＣｍｉｎを受信したか否かを判断している（Ｓ２１２）。受信した場合（Ｓ２１２でＹＥＳ）、制御部１２は、アンプ側最大音量値ＶＡｍａｘをコントローラ側最大音量値ＶＣｍａｘに対応させ、アンプ側最小音量値ＶＡｍｉｎをコントローラ側最小音量値ＶＣｍｉｎに対応させ、メモリ１３に記憶させる（Ｓ２１３）。
【０１２７】
ＡＶアンプ１１の制御部１２は、現在のアンプ側音量値ＶＡを、コントローラ側音量値ＶＣに変換し、コントローラ３Ｂに通知する（Ｓ２１４）。コントローラ３Ｂは、ＡＶアンプ１１からコントローラ側音量値ＶＣを受信したか否かを判断する（Ｓ２２４）。受信した場合（Ｓ２２４でＹＥＳ）、コントローラ３Ｂは、受信したコントローラ側音量値ＶＣを、メモリ４に記憶し、スライドバーをコントローラ側音量値ＶＣに基づいて変更する（Ｓ２２５）。
【０１２８】
続いて、コントローラ３Ｂは、ユーザ操作によってスライドバーが移動されたか否かを判断する（Ｓ２２６）。移動された場合（Ｓ２２６でＹＥＳ）、コントローラ３Ｂは、移動後のスライドバーの位置によって決定されるコントローラ側音量値ＶＣをメモリ４に記憶し、アンプ側音量値ＶＡに変換し、ＡＶアンプ１１に送信する（Ｓ２２７）。
【０１２９】
ＡＶアンプ１１の制御部１２は、アンプ側音量値ＶＡを受信したか否かを判断する（Ｓ２１５）。受信した場合（Ｓ２１５でＹＥＳ）、制御部１２は、受信したアンプ側音量値ＶＡに基づいて、音量調整部１６の音量を変更させる（Ｓ２１６）。続いて、制御部１２は、ユーザ操作によって、音量調整つまみ（または、リモコンの音量調整ボタン）が操作されたか否かを判断する（Ｓ２１７）。操作された場合（Ｓ２１７でＹＥＳ）、制御部１２は、音量調整つまみの操作位置に応じて決定されるアンプ側音量値ＶＡに、音量調整部１６の音量を変更させる（Ｓ２１８）。制御部１２は、変更後のアンプ側音量値ＶＡを、コントローラ側音量値に変換し、コントローラ３Ｂに通知する（Ｓ２１９）。
【０１３０】
先ほどと同様に、コントローラ３Ｂは、ＡＶアンプ１１からコントローラ側音量値ＶＣを受信したか否かを判断する（Ｓ２２４）。受信した場合（Ｓ２２４でＹＥＳ）、コントローラ３Ｂは、受信したコントローラ側音量値ＶＣをメモリ４に記憶し、スライドバーをコントローラ側音量値ＶＣに基づいて変更する（Ｓ２２５）。
【０１３１】
図３３は、コントローラ３Ｂの別の処理を示すフローチャートである。コントローラ３Ｂは、ＡＶアンプ１１と接続解除すると判断すると（Ｓ２２９でＹＥＳ）、現在メモリ４に記憶されているコントローラ側音量値ＶＣをＡＶアンプ１１の識別情報と対応付けてメモリ４に記憶する（Ｓ２３０）。
【０１３２】
コントローラ３Ｂは次回ＡＶアンプ１１に接続した際に、ＡＶアンプ１１から識別情報を取得し、取得した識別情報に対応付けてメモリ４に記憶されている前回接続解除時のコントローラ側音量値ＶＣをメモリ４から読み出して、スライドバーの位置を変更させ、かつ、アンプ側音量値ＶＡに変換し、ＡＶアンプ１１に送信する（Ｓ２２８）。ＡＶアンプ１１の制御部１２は、アンプ側音量値ＶＡを受信すると（Ｓ２１５でＹＥＳ）、音量調整部１６に音量を変更させる（Ｓ２１６）。
【０１３３】
［実施例１２］
本例では、複数のコントローラ３Ｂ（例えば、コントローラ３Ｂａ、３Ｂｂ）が存在し、各コントローラがＡＶアンプ１１を制御することができる。以下では、実施例７をベースに説明するが、他の実施例でも同様である。ＡＶアンプ１１の処理を図３４に示し、各コントローラの処理は図１５と概略同じである。図３５は本例のコマンドの送受信を説明する模式図である。
【０１３４】
コントローラ３Ｂａにおいて、（１）ユーザ操作によってスライドバーが変更された場合（Ｓ１０３）、コントローラ３Ｂは、変更後の音量値Ｖをメモリに記憶し、スライドバーを移動させ、（２）ＡＶアンプ１１に対して変更後の音量値Ｖを送信する（Ｓ１０４）。（３）ＡＶアンプ１１は、コントローラ３Ｂａから音量値を受信すると、自身の音量値を変更する（Ｓ９１、Ｓ９２）。その後、（４）ＡＶアンプ１１は、音量値を送信してきたコントローラ以外のコントローラを特定し、そのコントローラ（ここでは3Ｂｂ）に変更後の音量値を送信する（Ｓ２３１）。音量値を送信してきたコントローラ以外のコントローラ３Ｂｂは、ＡＶアンプ１１から音量値を受信し、音量値Ｖをメモリに記憶し、スライドバーを移動させる（Ｓ１０１、Ｓ１０２）。
【０１３５】
もしくは、図３６に示すように、（４）コントローラ３Ｂａが、コントローラ３Ｂａに対して変更後の音量値Ｖを送信し（Ｓ１０３、Ｓ１０４）、コントローラ３Ｂｂが、コントローラ３Ｂａから音量値を受信し、音量値Ｖをメモリに記憶し、スライドバーを移動させてもよい（Ｓ１０１、Ｓ１０２）。
【０１３６】
以上、本発明の好ましい実施形態を説明したが、本発明はこれらの実施形態には限定されない。上記各実施例において、コントローラ３ＢによってＡＶアンプ１１の音量が変更される場合には、ＡＶアンプ１１の音量値が徐々に増加又は減少するようにする。これにより、ユーザが誤ってコントローラ３Ｂのスライドバーを急激に変化させてしまった場合でも、ＡＶアンプ１１の音量は徐々にしか変化しないので、変化している途中で、ユーザによってコントローラ３Ｂのスライドバーを適切な位置に再変更することが可能である。上記のコントローラプログラム３Ｂ自体、又は、そのコンピュータプログラムを記録した記録媒体という形態で提供されてもよい。上記のＡＶアンプ１１をコンピュータに実行させるためのコンピュータプログラムまたはそのコンピュータプログラムを記録した記録媒体という形態で提供されてもよい。
【産業上の利用可能性】
【０１３７】
本発明は、ＡＶアンプ等の増幅装置に好適に採用され得る。
【符号の説明】
【０１３８】
１              ＰＣ
２              ＣＰＵ
３              ＨＤＤ
３Ａ            サーバプログラム
３Ｂ            コントローラプログラム
４              メモリ
５              操作部
６              表示部
７              通信部
１１            ＡＶアンプ
１２            制御部
１３            メモリ
１４            ＤＳＰ
１５            増幅部
１６            音量調整部
１７            通信部
１８            操作部
１９            表示部
【図１】
2011199837.tif 000007
【図２】
2011199837.tif 000008
【図３】
2011199837.tif 000009
【図４】
2011199837.tif 000010
【図５】
2011199837.tif 000011
【図６】
2011199837.tif 000012
【図７】
2011199837.tif 000013
【図８】
2011199837.tif 000014
【図９】
2011199837.tif 000015
【図１０】
2011199837.tif 000016
【図１１】
2011199837.tif 000017
【図１２】
2011199837.tif 000018
【図１３】
2011199837.tif 000019
【図１４】
2011199837.tif 000020
【図１５】
2011199837.tif 000021
【図１６】
2011199837.tif 000022
【図１７】
2011199837.tif 000023
【図１８】
2011199837.tif 000024
【図１９】
2011199837.tif 000025
【図２０】
2011199837.tif 000026
【図２１】
2011199837.tif 000027
【図２２】
2011199837.tif 000028
【図２３】
2011199837.tif 000029
【図２４】
2011199837.tif 000030
【図２５】
2011199837.tif 000031
【図２６】
2011199837.tif 000032
【図２７】
2011199837.tif 000033
【図２８】
2011199837.tif 000034
【図２９】
2011199837.tif 000035
【図３０】
2011199837.tif 000036
【図３１】
2011199837.tif 000037
【図３２】
2011199837.tif 000038
【図３３】
2011199837.tif 000039
【図３４】
2011199837.tif 000040
【図３５】
2011199837.tif 000041
【図３６】
2011199837.tif 000042
【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
増幅装置と、前記増幅装置に接続可能なコントローラとを備え、
前記増幅装置が、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有し、
前記コントローラが、
前記アンプ側音量値、前記アンプ側最大音量値、および、前記アンプ側最小音量値を前記増幅装置から受信する第２受信部と、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システム。
【請求項２】
増幅装置と、前記増幅装置に接続可能なコントローラとを備え、前記コントローラが、アンプ側音量値、アンプ側最大音量値、および、アンプ側最小音量値を前記増幅装置から受信する第２受信部と、表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、前記表示部が前記表示装置に表示させる前記アンプ側音量値を、前記第２受信部によって受信された又は第２入力部に入力された前記アンプ側音量値に変更する変更部と、ユーザ操作によって、前記表示部が前記表示装置に表示させる前記アンプ側音量値を変更する指示が入力される前記第２入力部と、ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システムにおける前記増幅装置であって、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記第１入力部によって調整可能なアンプ側音量値の最大値である前記アンプ側最大音量値、および、前記第１入力部によって調整可能なアンプ側音量値の最小値である前記アンプ側最小音量値を前記コントローラに送信する第２送信部とを有する、増幅装置。
【請求項３】
増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記第１入力部によって調整可能なアンプ側音量値の最大値であるアンプ側最大音量値、および、前記第１入力部によって調整可能なアンプ側音量値の最小値であるアンプ側最小音量値を前記コントローラに送信する第２送信部とを有する、音量調整システムにおける前記コントローラであって、
前記アンプ側音量値、前記アンプ側最大音量値、および、前記アンプ側最小音量値を前記増幅装置から受信する第２受信部と、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、コントローラ。
【請求項４】
前記コントローラと前記増幅装置とが接続解除する際の、前記表示部が前記表示装置に表示させる前記アンプ側音量値を記憶装置に記憶させる記憶部をさらに有し、
前記コントローラと前記増幅装置とが接続された場合に、
前記変更部が、前記記憶部によって記憶されている前記アンプ側音量値に、前記表示部が前記表示装置に表示させるアンプ側音量値を変更し、
前記第２送信部が、前記記憶部によって記憶されている前記アンプ側音量値を前記増幅装置に送信する、請求項３に記載のコントローラ。
【請求項５】
増幅装置と、コントローラプログラムがインストールされ前記増幅装置に接続可能なコンピュータとを備え、前記増幅装置が、アンプ側音量値を前記コンピュータから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コンピュータに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記第１入力部によって調整可能なアンプ側音量値の最大値であるアンプ側最大音量値、および、前記第１入力部によって調整可能なアンプ側音量値の最小値であるアンプ側最小音量値を前記コンピュータに送信する第２送信部とを有する、音量調整システムにおける前記コントローラプログラムであって、
前記アンプ側音量値、前記アンプ側最大音量値、および、前記アンプ側最小音量値を前記増幅装置から受信する第２受信ステップと、
表示装置に表示させる最大音量値を前記第２受信部によって受信された前記アンプ側最大音量値とし、表示装置に表示させる最小音量値を前記第２受信部によって受信された前記アンプ側最小音量値とすることによって、前記アンプ側音量値を表示装置に表示させる表示ステップと、
前記表示ステップが前記表示装置に表示させる前記アンプ側音量値を、前記第２受信ステップによって受信された又は第２入力ステップによって入力された前記アンプ側音量値に変更する変更ステップと、
ユーザ操作によって、前記表示ステップが前記表示装置に表示させる前記アンプ側音量値を変更する指示が入力される前記第２入力ステップと、
ユーザ操作によって、前記表示ステップが前記表示装置に表示させる前記アンプ側音量値を変更する指示が入力された場合、変更後の前記アンプ側音量値を前記増幅装置に送信する第２送信ステップとを前記コンピュータに実行させる、コントローラプログラム。
【請求項６】
増幅装置と、前記増幅装置に接続可能なコントローラとを備え、
前記増幅装置が、
アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）を前記コントローラに送信する第２送信部とを有し、
前記コントローラが、
前記アンプ側音量値、前記アンプ側設定最大音量値、および、前記アンプ側設定最小音量値（又は、前記アンプ側最小音量値）を前記増幅装置から受信する第２受信部と、
表示装置に表示させる最大音量値を前記アンプ側設定最大音量値とし、表示装置に表示させる最小音量値を前記アンプ側設定最小音量値（又は、前記アンプ側最小音量値）とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システム。
【請求項７】
増幅装置と、前記増幅装置に接続可能なコントローラとを備え、前記コントローラが、  アンプ側音量値、アンプ側設定最大音量値、および、アンプ側設定最小音量値（又は、アンプ側最小音量値）を前記増幅装置から受信する第２受信部と、表示装置に表示させる最大音量値を前記アンプ側設定最大音量値とし、表示装置に表示させる最小音量値を前記アンプ側設定最小音量値（又は、前記アンプ側最小音量値）とすることによって、前記アンプ側音量値を表示装置に表示させる表示部と、前記表示部が前記表示装置に表示させる前記アンプ側音量値を、前記第２受信部によって受信された又は第２入力部に入力された前記アンプ側音量値に変更する変更部と、ユーザ操作によって、前記表示部が前記表示装置に表示させる前記アンプ側音量値を変更する指示が入力される前記第２入力部と、ユーザ操作によって、前記表示部が前記表示装置に表示させる前記アンプ側音量値を変更する指示が入力された場合、変更後の前記アンプ側音量値を前記増幅装置に送信する第２送信部とを有する、音量調整システムにおける前記増幅装置であって、
前記アンプ側音量値を前記コントローラから受信する第１受信部と、
ユーザ操作に応じて前記アンプ側音量値を変更する指示が入力される第１入力部と、
ユーザ操作に応じて前記アンプ側音量値を変更する指示が入力された場合、変更後の前記アンプ側音量値を前記コントローラに送信する第１送信部と、
前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、
前記コントローラによって調整可能なアンプ側音量値の最大値であり、かつ、前記第１入力部によって調整可能なアンプ側音量値の最大値であるアンプ側最大音量値よりも小さい前記アンプ側設定最大音量値、および、前記コントローラによって調整可能なアンプ側音量値の最小値であり、かつ、前記第１入力部によって調整可能なアンプ側音量値の最小値であるアンプ側最小音量値よりも大きい前記アンプ側設定最小音量値（又は、前記アンプ側最小音量値）を前記コントローラに送信する第２送信部とを有する、増幅装置。
【請求項８】
増幅装置と、前記増幅装置に接続可能なコントローラとを備え、前記増幅装置が、アンプ側音量値を前記コントローラから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コントローラに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記コントローラによって調整可能なアンプ側音量値の最大値であり、かつ、前記第１入力部によって調整可能なアンプ側音量値の最大値であるアンプ側最大音量値よりも小さいアンプ側設定最大音量値、および、前記コントローラによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）を前記コントローラに送信する第２送信部とを有する音量調整システムにおける前記コントローラであって、
前記アンプ側音量値、前記アンプ側設定最大音量値、および、前記アンプ側設定最小音量値（又は、前記アンプ側最小音量値）を前記増幅装置から受信する第２受信部と、
表示装置に表示させる最大音量値を前記アンプ側設定最大音量値とし、表示装置に表示させる最小音量値を前記アンプ側設定最小音量値（又は、前記アンプ側最小音量値）とすることによって、前記アンプ側音量値を表示装置に表示させる表示部と、
前記表示部が前記表示装置に表示させる前記アンプ側音量値を、前記第２受信部によって受信された又は第２入力部に入力された前記アンプ側音量値に変更する変更部と、
ユーザ操作によって、前記表示部が前記表示装置に表示させる前記アンプ側音量値を変更する指示が入力される前記第２入力部と、
ユーザ操作によって、前記表示部が前記表示装置に表示させる前記アンプ側音量値を変更する指示が入力された場合、変更後の前記アンプ側音量値を前記増幅装置に送信する第２送信部とを有する、コントローラ。
【請求項９】
増幅装置と、コントローラプログラムがインストールされ前記増幅装置に接続可能なコンピュータとを備え、前記増幅装置が、アンプ側音量値を前記コンピュータから受信する第１受信部と、ユーザ操作に応じて前記アンプ側音量値を変更する指示が入力される第１入力部と、ユーザ操作に応じて前記アンプ側音量値を変更する指示が入力された場合、変更後の前記アンプ側音量値を前記コンピュータに送信する第１送信部と、前記第１受信部が前記アンプ側音量値を受信した場合、又は、前記第１入力部に変更後の前記アンプ側音量値が入力された場合、前記アンプ側音量値に基づいて前記増幅装置の音量値を調整する音量調整部と、前記コンピュータによって調整可能なアンプ側音量値の最大値であり、かつ、前記第１入力部によって調整可能なアンプ側音量値の最大値であるアンプ側最大音量値よりも小さいアンプ側設定最大音量値、および、前記コンピュータによって調整可能なアンプ側音量値の最小値であり、かつ、前記第１入力部によって調整可能なアンプ側音量値の最小値であるアンプ側最小音量値よりも大きいアンプ側設定最小音量値（又は、前記アンプ側最小音量値）を前記コンピュータに送信する第２送信部とを有する音量調整システムにおける前記コントローラプログラムであって、
前記アンプ側音量値、前記アンプ側設定最大音量値、および、前記アンプ側設定最小音量値（又は、前記アンプ側最小音量値）を前記増幅装置から受信する第２受信ステップと、
表示装置に表示させる最大音量値を前記アンプ側設定最大音量値とし、表示装置に表示させる最小音量値を前記アンプ側設定最小音量値（又は、前記アンプ側最小音量値）とすることによって、前記アンプ側音量値を表示装置に表示させる表示ステップと、
前記表示部が前記表示装置に表示させる前記アンプ側音量値を、前記第２受信部によって受信された又は第２入力部に入力された前記アンプ側音量値に変更する変更ステップと、
ユーザ操作によって、前記表示部が前記表示装置に表示させる前記アンプ側音量値を変更する指示が入力される前記第２入力ステップと、
ユーザ操作によって、前記表示部が前記表示装置に表示させる前記アンプ側音量値を変更する指示が入力された場合、変更後の前記アンプ側音量値を前記増幅装置に送信する第２送信ステップとを前記コンピュータに実行させる、コントローラプログラム。
【請求項１０】
請求項２または７に記載の増幅装置の各部をコンピュータに実行させる、増幅装置の動作プログラム。